(57)【要約】      （修正有）【課題】輸送体のための、多用途電力インターフェースに収集されたデータをモニタし、解析するための方法、システム、及び装置を提供する。【解決手段】システムは、電力線ブロードバンド（ＢＰＬ）データ回線を介して輸送体に電気的かつ通信可能に連結される多用途電力インターフェースと、ＢＰＬデータ回線及び多用途電力インターフェースに関する電力品質データ及び負荷管理データを収集するセンサと、を含む。多用途電力インターフェースは、ユーザインターフェースと、多用途電力インターフェースに動作を実施させるプロセッサを含む。動作は、センサから受信したデータに基づいて、多用途電力インターフェース及びＢＰＬデータ回線の機能健全性状況を判定し、データ記憶装置に機能健全性状況、電力品質データ及び負荷管理データを送信し、ユーザインターフェースにおいて機能健全性状況を示す。【選択図】図７
2020078230.tif 000002
【特許請求の範囲】
【請求項１】
電力インターフェースにおいてデータを収集し、モニタするための、コンピュータ実装される方法（７００）であって、
複数の電力線ブロードバンド（ＢＰＬ）データ回線、及び前記複数のＢＰＬデータ回線を介して輸送体（１２０）に電気的かつ通信可能に連結されるよう動作可能な多用途電力インターフェースに関する、電力品質データ及び負荷管理データを収集するよう動作可能な複数のセンサから、電力品質データ及び負荷管理データを受信すること（７０２）と、
前記電力品質データ及び前記負荷管理データに基づいて、前記多用途電力インターフェース及び前記複数のＢＰＬデータ回線の機能健全性状況を判定すること（７０４）と、
データ記憶装置に、前記機能健全性状況、前記電力品質データ、及び前記負荷管理データを送信すること（７０６）と、
ユーザインターフェース（２９０）において、前記機能健全性状況を示すこと（７０８）とを含む、
方法（７００）。
【請求項２】
前記電力品質データが、電圧、電流、周波数、電力、無効電力、力率、電圧高調波、電流高調波、全高調波歪み、振幅電圧変調、周波数電圧変調、電流需要振幅、電流需要周波数変調、電圧リップル振幅、電流リップル振幅、電流リップル周波数、電圧リップル周波数、電力遮断、磁場密度（ＭＦＤ）、又は前記複数のＢＰＬデータ回線のうちの１つのＢＰＬデータ回線の機能健全性状況の判定に使用可能なその他の電力品質パラメータ、のうちの少なくとも１つを含む、請求項１に記載の方法（７００）。
【請求項３】
前記負荷管理データが、負荷識別子、電流需要高調波、電流需要振幅、電流周波数変調、リップル電流振幅、リップル電流周波数、負荷インピーダンス情報、負荷力率、ソースインピーダンス、インピーダンス整合最適化、又は前記輸送体（１２０）の一又は複数の電気的構成要素の機能健全性状況の判定に使用可能なその他の負荷管理パラメータ、のうちの少なくとも１つを含む、請求項１又は２に記載の方法（７００）。
【請求項４】
前記複数のＢＰＬデータ回線のうちの１つのＢＰＬデータ回線の前記機能健全性状況を判定することが、前記ＢＰＬデータ回線が予期されるデータ速度範囲内で動作しているかどうかを判定することを含む、請求項１から３のいずれか一項に記載の方法（７００）。
【請求項５】
前記データ記憶装置は前記多用途電力インターフェースに対してローカルであり、前記機能健全性状況を示すことが、前記ユーザインターフェース（２９０）において多色発光ダイオード（ＬＥＤ）を発光させることを含む、請求項１に記載の方法（７００）。
【請求項６】
前記データ記憶装置は前記多用途電力インターフェースに対してリモートであり、前記送信することが、ＢＰＬ通信を使用して、前記複数のＢＰＬデータ回線のうちの少なくとも１つを経由しＢＰＬモデム（４１４）を介して、前記データ記憶装置に前記機能健全性状況、前記電力品質データ、及び前記負荷管理データを送信することを含む、請求項１に記載の方法（７００）。
【請求項７】
前記複数のセンサは、前記複数のＢＰＬデータ回線における電気伝導体を特徴付けることによって電力品質データを収集するよう構成された、時間領域リフレクトメータ（ＴＤＲ）と周波数領域リフレクトメータ（ＦＤＲ）のうちの一又は複数を含む、請求項１から６のいずれか一項に記載の方法（７００）。
【請求項８】
電力インターフェースにおいてデータを収集し、モニタするためのシステム（４００）であって、請求項１から７のいずれか一項に記載の方法を実施するよう動作可能であり、
複数の電力線ブロードバンド（ＢＰＬ）データ回線を介して輸送体（１２０）に電気的かつ通信可能に連結されるよう構成された、多用途電力インターフェース（１１０）と、
前記複数のＢＰＬデータ回線及び前記多用途電力インターフェースに関する電力品質データ及び負荷管理データを収集するよう構成された、複数のセンサとを備え、
前記多用途電力インターフェースは、ユーザインターフェース（２９０）と、プロセッサと、命令を記憶しているメモリ（９０６）とを備え、前記命令は、前記プロセッサによって実行されると、前記多用途電力インターフェースに、
前記複数のセンサから電力品質データ及び負荷管理データを受信すること（７０２）と、
前記電力品質データ及び前記負荷管理データに基づいて、前記多用途電力インターフェース及び前記複数のＢＰＬデータ回線の機能健全性状況を判定すること（７０４）と、
データ記憶装置に、前記機能健全性状況、前記電力品質データ、及び前記負荷管理データを送信すること（７０６）と、
前記ユーザインターフェース（２９０）において、前記機能健全性状況を示すこと（７０８）とを含む動作を実施させる、
システム（４００）。
【請求項９】
前記多用途電力インターフェースが、
前記ユーザインターフェース（２９０）、無線通信インターフェース（２９２）、有線通信インターフェース（２９４）、及び前記多用途電力インターフェースと前記輸送体（１２０）のコネクタ（１４０）とを前記複数のＢＰＬデータ回線を介して電気的かつ通信可能に連結するための複数のピン（２１０ａ、２１０ｂ、２１０ｃ、２２０、２３０ａ、２３０ｂ）を含む、取り外し可能なアダプタ（３５０）と、
地上電力ユニット（１３０）を介して、前記輸送体（１２０）に電気的かつ通信可能に連結されるよう構成された、地上電力インターフェース接続部（４５０）とを更に備える、請求項８に記載のシステム（４００）。
【請求項１０】
前記地上電力インターフェース接続部（４５０）が、前記輸送体（１２０）のエンジンがオフになっている時に前記輸送体（１２０）に交流（ＡＣ）電力を提供するよう構成されている、請求項９に記載のシステム（４００）。
【請求項１１】
前記多用途電力インターフェースが、
前記複数のＢＰＬデータ回線を介して前記多用途電力インターフェースと前記輸送体（１２０）とを電気的かつ通信可能に連結するための、複数のピン（２１０ａ、２１０ｂ、２１０ｃ、２２０、２３０ａ、２３０ｂ）と、
前記輸送体（１２０）との三相交流（ＡＣ）電力インターフェースのための、電気伝導性材料と、
一又は複数のギガビット光ファイバデータ回線とを更に備える、請求項８から１０のいずれか一項に記載のシステム（４００）。
【請求項１２】
前記複数のセンサが、前記一又は複数のギガビット光ファイバデータ回線を特徴付けることによって負荷管理データを収集するよう構成された、少なくとも１つの光時間領域リフレクトメータ（ＯＴＤＲ）を含む、請求項１１に記載のシステム（４００）。
【請求項１３】
前記多用途電力インターフェースの前記機能健全性状況を判定することが、前記一又は複数のギガビット光ファイバデータ回線が予期されるデータ速度範囲内で動作しているかどうかを判定することを含む、請求項１１に記載のシステム（４００）。
【発明の詳細な説明】
【技術分野】
【０００１】
本開示は、電気的構成要素及びネットワーク構成要素をモニタし、解析するためのシステム及び方法を対象とする。より具体的には、本開示は、電力線ブロードバンド（ＢＰＬ）回線、ＢＰＬモデム、並びにその他の電気的構成要素及びネットワーク構成要素を特徴付けるデータ（このデータは多用途電力インターフェースにおいて収集される）をモニタし、検知し、管理し、かつ解析するための、システム及び方法を対象とする。
【背景技術】
【０００２】
輸送体（例えば航空機）と地上電力ユニットとを接続するために使用されるケーブル配線及びコネクタは、それらが気象条件、腐食性化学物質、温度及び湿度の変動、湿気、並びに地上カート、燃料トラック、及び配送車両が時にケーブル配線の上を走行することにより引き起こされる物理的外傷を受ける、空港などの過酷な環境において使用される。このような過酷な環境は、時間が経つと共に、ケーブル配線及びコネクタにおける欠陥状態をもたらしうる。従来的に、地上電力ユニットと航空機との間の接続における欠陥状態を分離させるために、広範にわたる不具合対策が必要とされている。
【０００３】
輸送体の機上で動作するシステムは、大量のデータを生成しうるだけでなく、大量のデータを受信しうる。例えば航空機の場合、最新式の航空電子機器、飛行中エンターテイメントシステム、配膳システム、乗客システム、及びその他の機上システムが、相当量のデータを生成しかつ／又は利用する。航空機に関する１つの具体例にすぎないが、大量のデータが、機上のモニタリングシステム（エンジンモニタリングシステムなど）に関連して生成される。エンジンモニタリングデータは、例えば圧縮比、毎分回転数、温度、振動、及びその他のエンジン動作データを含みうる。加えて、航空機の飛行中エンターテイメントシステムも、大量のデータ（一連の映画のための数テラバイトのデータなど）を伴いうる。
【０００４】
ＢＰＬは、電気回線（例えば、輸送体と地上電力ユニットとを接続する電気ケーブル）を経由してデータを送信するために使用されうる。ＢＰＬは、比較的高速なデータ通信を提供するために、より高い周波数、より広い周波数範囲、及び別の形態の電力線通信とは異なる技術を使用することによって、電力分配配線を経由する、比較的スピードが速いデジタルデータ送信を可能にする。ＢＰＬ回線は、地上電力ユニットと輸送体（航空機など）とを電気的かつ通信可能に連結する電力インターフェースの一部として使用されうる。しかし、従来型の電力インターフェースは、その輸送体側の端部（例えば、電力インターフェースケーブルを飛行機などの輸送体と嵌合させるプラグ又はコネクタ）において、電力又はデータ通信の回線の健全性についての表示を提供することはほとんどない。
【０００５】
したがって、過酷な動作環境において電力と高速デジタル通信の両方の信頼性を向上させるために、ＢＰＬ回線、ＢＰＬモデム、並びにその他の電気的構成要素及びネットワーク構成要素の健全性状況を、多用途電力インターフェースにおいて迅速かつ正確にモニタするための、改良型の技術が必要とされている。
【発明の概要】
【０００６】
本開示は、輸送体（例えば飛行機）のための、多用途電力インターフェースに収集されたデータをモニタし、解析するための方法、システム、及び装置に関する。具体的には、データはコネクタに収集されたＢＰＬデータを含み、このコネクタは、多用途電力インターフェースと輸送体とを接続するよう動作可能である。方法、システム、及び装置は、標準的なネットワークモニタリングのアプリケーション及びプロセスを使用して、ＢＰＬ回線、ＢＰＬモデム、並びにその他の電気的構成要素及びネットワーク構成要素の健全性状況を、多用途電力インターフェースにおいて迅速かつ正確にモニタするものである。
【０００７】
電力インターフェースにおいてデータを収集し、モニタするためのシステムは、複数の電力線ブロードバンド（ＢＰＬ）データ回線を介して、輸送体に電気的かつ通信可能に連結されるよう構成された、多用途電力インターフェースを含む。このシステムは、複数のＢＰＬデータ回線及び多用途電力インターフェースに関する電力品質データ及び負荷管理データを収集するよう構成された、複数のセンサも含む。多用途電力インターフェースは、ユーザインターフェース、プロセッサ、及びメモリを含む。メモリには命令が記憶されており、これらの命令は、プロセッサによって実行されると、多用途電力インターフェースに動作を実施させる。かかる動作は、複数のセンサから電力品質データ及び負荷管理データを受信することを含む。動作は、電力品質データ及び負荷管理データに基づいて、多用途電力インターフェース及び複数のＢＰＬデータ回線の機能健全性状況を判定することも含む。動作は、データ記憶装置に、機能健全性状況、電力品質データ、及び負荷管理データを送信することを更に含む。加えて、動作は、ユーザインターフェースにおいて、機能健全性状況及び予測健全性状況を示すことを含む。
【０００８】
別の実行形態では、システム内の複数のセンサは、複数のＢＰＬデータ回線における電気伝導体を特徴付けることによって電力品質データを収集するよう構成された時間領域リフレクトメータ（ＴＤＲ）と周波数領域リフレクトメータ（ＦＤＲ）のうちの、一又は複数を含む。
【０００９】
更に別の実行形態では、多用途電力インターフェースは更に、ユーザインターフェース、無線通信インターフェース、有線通信インターフェース、及び多用途電力インターフェースと輸送体のコネクタとを複数のＢＰＬデータ回線を介して電気的かつ通信可能に連結するための複数のピンを含む、取り外し可能なアダプタと、地上電力ユニットを介して、輸送体に電気的かつ通信可能に連結されるよう構成された、地上電力インターフェース接続部とを、含む。別の実行形態では、地上電力インターフェース接続部は、輸送体のエンジンがオフになっている時に輸送体に交流（ＡＣ）電力を提供するよう、構成される。
【００１０】
電力インターフェースにおいてデータを収集し、モニタするための、コンピュータ実装される方法も開示される。この方法は、複数の電力線ブロードバンド（ＢＰＬ）データ回線、及び複数のＢＰＬデータ回線を介して輸送体に電気的かつ通信可能に連結されるよう動作可能な多用途電力インターフェースに関する、電力品質データ及び負荷管理データを収集するよう動作可能な複数のセンサから、電力品質データ及び負荷管理データを受信することを含む。方法は、電力品質データ及び負荷管理データに基づいて、多用途電力インターフェース及び複数のＢＰＬデータ回線の機能健全性状況を判定することも含む。方法は、データ記憶装置に、機能健全性状況、電力品質データ、及び負荷管理データを送信することを更に含む。加えて、方法は、ユーザインターフェースにおいて、機能健全性状況を示すことを含む。
【００１１】
電力インターフェースコネクタからのデータを収集し、モニタするための、システムも開示される。このシステムは、複数の電力線ブロードバンド（ＢＰＬ）データ回線、及び複数のＢＰＬデータ回線を介して輸送体に電気的かつ通信可能に連結されるよう構成された多用途電力インターフェースに関する、電力品質データ及び負荷管理データを収集するよう構成された、複数のセンサを含む。システムは、ディスプレイデバイス、プロセッサ、及び命令が記憶されたメモリを備えるサーバも含み、命令は、プロセッサによって実行されると、サーバに動作を実施させる。かかる動作は、通信回線を介して、複数のセンサから電力品質データ及び負荷管理データを受信することを含む。動作は、電力品質データ及び負荷管理データに基づいて、多用途電力インターフェース及び複数のＢＰＬデータ回線の機能健全性状況を判定することも含む。動作は、機能健全性状況、電力品質データ、及び負荷管理データを、メモリに記憶させることを更に含む。加えて、動作は、ディスプレイデバイス上のユーザインターフェースにおいて、機能健全性状況を提示することを含む。
【００１２】
先述した概略説明及び後述する詳細説明は、両方とも例示及び解説にすぎず、特許請求される本書の教示を制限するものではないと、理解されたい。
【００１３】
この明細書に組み込まれ、かつこの明細書の一部を構成する添付図面は、本開示の実行形態を例示しており、本書の説明と共に、本開示の原理を解説する上で役立つものである。
【図面の簡単な説明】
【００１４】
【図１】本開示の一又は複数の実行形態による、輸送体及び地上電力システムに接続された多用途電力インターフェースを含む例示的な動作環境を示す図である。
【図２】本開示の一又は複数の実行形態による、電気的特性及びネットワーク特性の状況の表示のためのユーザインターフェースを含む例示的な多用途電力インターフェースコネクタを示す図である。
【図３】本開示の一又は複数の実行形態による、電気的特性及びネットワーク特性の状況の表示のためのユーザインターフェースを含む多用途電力インターフェースコネクタ向けの、例示的な取り外し可能なアダプタを示す図である。
【図４】本開示の一又は複数の実行形態による、電気的構成要素及びネットワーク構成要素のモニタリングのための例示的なシステムを示す図である。
【図５】本開示の一又は複数の実行形態による、電気的構成要素及びネットワーク構成要素のモニタリングのための例示的なシステムアーキテクチャを示す図である。
【図６】本開示の一又は複数の実行形態による、多用途電力インターフェースと輸送体との接続に使用される例示的なシステム構成要素を示す図である。
【図７】本開示の一又は複数の実行形態による、多用途電力インターフェースのコネクタに収集されたＢＰＬデータをモニタし、解析するための方法のフロー図を示す。
【図８】本開示の一又は複数の実行形態による、収集されたセンサデータ及びＢＰＬデータを用いて予測解析を実施するための方法のフロー図を示す。
【図９】本開示の一又は複数の実行形態と併せて使用されうる、演算システムの一例を示すブロック図である。
【発明を実施するための形態】
【００１５】
図の詳細事項の一部は、簡略化されており、構造的な正確性、詳細事項、及び縮尺を厳格に維持するためではなく、理解を促進するために描かれていることに、留意すべきである。
【００１６】
これより、本書の教示を詳しく参照していく。本書の教示の例は、添付図面に示されている。図面においては、全体を通じて、同一の要素を指し示すために、類似の参照番号を使用した。以下の説明では添付図面を参照するが、添付図面は説明の一部を形成している。図面には、本書の教示を実践する具体例が例示として図示されている。したがって、以下の説明は例示にすぎない。
【００１７】
本書で開示されているシステム及び方法は、標準ベースのネットワークモニタリングのアプリケーション及びプロセスを使用してセンサデータを収集するために、既存の電気インフラ（例えばＢＰＬモデム及び通信回線）を活用することによって、電力システムとデータネットワークの構成要素をモニタするものである。
【００１８】
かかるシステム及び方法では、輸送体（例えば飛行機）と地上システム（例えば地上電力システム）とを接続する、多用途電力インターフェース（例えばスティンガケーブル）の改良型コネクタ（例えばスマートスティンガ式のコネクタ又はプラグ）が使用される。このコネクタは、完全に機能し、常時通信可能でありつつも、スティンガケーブルの健全性を判定するために輸送体（例えば飛行機）が接続されることを必要としない。システム及び方法は、多用途電力インターフェースの機能性についての確実な評価も提供する。これにより、通信の問題（例えば欠陥又は誤動作）の存在が検出された場合にも、この問題が、より容易に分離され、修正されることが可能になる。本書で開示されている実行形態は、信頼性の高い地上動作（例えば空港での動作）をサポートし、不具合対策を改善し、かつ修正措置のために担当組織が特定され、この担当組織に通知がなされることを確実にする。一部の実行形態では、ビッグデータ解析（例えば予測解析）により、モニタされているデバイスの不具合が予測されると先行して（ｐｒｏａｃｔｉｖｅｌｙ）担当組織に通知がなされることが確実になる。かかる実行形態により、モニタされているデバイスの先行サポートが可能になる。システム及び方法は、過酷な動作環境（空港など）における電力通信と高速デジタル通信の両方に関して、サイバーセキュリティ及び信頼性を向上させる。本書で開示されているシステム及び方法は、飛行機が地上ネットワークに接続され、地上ネットワークと通信することを必要とせずに、地上ネットワークと飛行機のシステムとの間のインターフェースの健全性及び性能をモニタし、解析するものである。かかる状況においては、モニタすることは、再接続が行われる時まで、センサデータを収集するために、ローカルストレージ（例えば、コネクタの記憶デバイス又はメモリにおけるもの）を使用することを含む。再接続が行われると、一部の実行形態では、次いで、データ接続ができなかった時に発生したことについて、タイムスタンプと併せてローカルで記憶されたデータも送られる。
【００１９】
本書で開示されているシステム及び方法は、電気システム及びネットワークシステムの構成要素の健全性状況を検出し、予測するために、多用途電力インターフェースのコネクタに収集されたＢＰＬデータをモニタし、解析するものである。より具体的には、本書で開示されているシステム及び方法は、多用途電力インターフェースの改良型コネクタ（例えば改良型の電力スティンガプラグ）において、電気システムとネットワークシステムの両方をモニタする。一部の実行形態では、多用途電力インターフェースのコネクタにおける電気伝導体を特徴付けるために、時間領域リフレクトメータ（ＴＤＲ）又は周波数領域リフレクトメータ（ＦＤＲ）が使用される。当業者には理解されるように、ＴＤＲは、例えばケーブル（同軸ケーブルなど）及びその他の電気配線といった電気伝導体における欠陥を特徴付け、位置特定するために、時間領域反射率計測（ｒｅｆｌｅｃｔｏｍｅｔｒｙ）を使用する電子計器であり、ＦＤＲは、このために周波数領域スイープを使用する電子計器である。ＴＤＲ又はＦＤＲは、電気コネクタ、プリント基板、及びその他の種類の電気経路における断接を位置特定するためにも使用されうる。システム及び方法は、多用途電力インターフェースのユーザインターフェースと、多用途電力インターフェースのコネクタに通信可能に連結されているがこのコネクタから離れている、演算デバイスのユーザインターフェースのいずれかにおいて、モニタされている電気システム及びネットワークシステムの構成要素に関する直近の機能状況を提供する。一部の実行形態では、多用途電力インターフェースのコネクタは、電気システム及びネットワークシステムの構成要素に関する直近の機能状況を提示するための、ディスプレイデバイス（例えばタッチスクリーンディスプレイデバイス又はＬＣＤスクリーンなど）を含む。追加的又は代替的な実行形態では、多用途電力インターフェースのコネクタは、多色発光ダイオード（ＬＥＤ）及びストロボライトを発光させることによって、モニタされている電気システム及びネットワークシステムの構成要素に関する機能状況を提示する。例えば、かかる実行形態では、健全性データ及び電気接続を示すためにＬＥＤが使用されることもある。
【００２０】
システム及び方法は、不具合につながる可能性がある状態にフラグを立てる（ｆｌａｇ）ものでもある。加えて、システム及び方法は、センサデータを収集し、かかるセンサデータの履歴測定値（ｒｅａｄｉｎｇｓ）を記憶して、ビッグデータ解析の実施を可能にする。かかるビッグデータ解析は、履歴データ及び既知の過去イベント（例えば構成要素の不具合及び電気接続の欠陥）におけるパターンに基づいて、不具合イベントにつながる可能性がある状態を予測するために使用されうる。このようにして、システム及び方法によって実施されるデータのモニタリング及び解析により、モニタされている電気システム及びネットワークシステムの構成要素に関する健全性の予知（ｐｒｏｇｎｏｓｔｉｃａｔｉｏｎ）が可能になる。システム及び方法は、ゲート電源のインピーダンス特性と輸送体（例えば飛行機）の電気的負荷特性とを照合確認するために、特徴付けを行うものでもある。
【００２１】
システム及び方法は、電気的な健全性情報及びデータの健全性情報をモニタし、解析し、かつ、例えば、多用途電力インターフェースのコネクタを輸送体に差し込むユーザ（例えば機械工又は地上クルーメンバーなど）に、解析結果（例えば、データ回線の機能健全性状況）を提示する。一部の実行形態では、解析結果は、多用途電力インターフェースと輸送体とを接続しているコネクタ（例えば、ユーザインターフェースを有する改良型スティンガプラグ）におけるユーザインターフェースに表示される。このような実行形態により、輸送体（例えば飛行機）に至る経路全ての機能健全性状況情報が提供される。追加的又は代替的な実行形態では、システム及び方法は、電力品質情報をモニタし、解析するものでもある。一部の実行形態によると、電力品質情報の解析は配電網健全性モニタリングに類似している。更に、このような電気的モニタリング及びデータモニタリングの能力並びに健全性状況の表示が、多用途電力インターフェース（例えばスティンガケーブル）の電力接続とデータ接続の両方に関する、データ解析の実施を可能にし、欠陥予知のための欠陥検出能力を拡張する。
【００２２】
図１は、本開示の少なくとも１つの実行形態による、ネットワーク構成要素及び電気的構成要素をモニタし、解析するための例示的な動作環境１００を示す図である。図１に示しているように、動作環境１００は、例示的な輸送体１２０及び例示的な地上電力システム１３０に接続された、多用途電力インターフェース１１０を含む。
【００２３】
図１の例では、多用途電力インターフェース１１０は、輸送体１２０に接続されたケーブルであり、輸送体１２０は飛行機である。しかし、他の実行形態では、開示されている方法及びシステムの輸送体１２０として、空中輸送体（例えば飛行機、ヘリコプター、ドローン、及びその他の航空機）、宇宙輸送体（例えば宇宙船及び衛星）、陸上輸送体（例えば機関車、戦車、トラック、車、オートバイ、電気自転車、及びその他の陸上モータ輸送体）、及び海洋輸送体（例えば船舶、ボート、及びその他のウォータークラフト）を含むがそれらに限定されるわけではない、様々な異なる種類の輸送体が用いられうる。
【００２４】
図１に示しているように、輸送体１２０（例えば飛行機）は、輸送体１２０の本体（例えば胴体）の外表面に装着されたコネクタ１４０を含み、これにより、輸送体１２０のコネクタ１４０は、地上クルー人員にとってアクセス可能になる。輸送体１２０のコネクタ１４０は、多用途電力インターフェース１１０の一端部１６０と嵌合するための複数のソケットを備える。
【００２５】
多用途電力インターフェース１１０の一端部１６０は、コネクタ１５０（例えば、図２のコネクタ１５０及びコネクタハウジング２５０を参照のこと）を含む。コネクタ１５０は、複数のピン（例えば、図２のピン２１０ａ、２１０ｂ、２１０ｃ、２２０、２３０ａ、及び２３０ｂを参照のこと）を備える。図１を継続して参照するに、多用途電力インターフェース１１０の他端部１７０は、地上電力システム１３０に接続される。地上電力システム１３０は、図１の例示的な動作環境１００においては、概略的に地上電力カートとして図示されているが、地上電力システム１３０の構成要素は、例えば飛行機のゲートにおけるものといった他の物理的構成要素と（例えば、空港又は航空基地におけるジェットウェイシステム又はジェットブリッジシステムと）一体化されうる。
【００２６】
輸送体１２０が地上にある時に、地上クルー人員が、多用途電力インターフェース１１０のコネクタ１５０を、輸送体１２０のコネクタ１４０に接続する。これにより、コネクタ１５０は、電気的かつ通信可能に、輸送体１２０のコネクタ１４０に連結される。
【００２７】
ある種の実行形態では、コネクタ１５０は、ＢＰＬデータ回線を介して輸送体１２０に電気的かつ通信可能に連結されるよう、動作可能である。コネクタ１５０は、輸送体１２０と地上電力システム１３０との間の電気的接続性及び通信接続性を提供することに加えて、電気システム及びネットワークシステムの構成要素をモニタするようにも構成される。一部の実行形態では、このモニタリングの一部は、コネクタ１５０が輸送体１２０に接続されていようがいまいが、実施されうる。例えば、コネクタ１５０は、コネクタ１５０が輸送体１２０に接続される前の、それ自体の健全性及びネットワークの健全性をレポートしうる。図１に示しているように、地上電力システム１３０は、ブロードバンド通信を可能にする任意の通信プロトコルを使用して、地上ベースのネットワーク１０２を介して通信を交わすための、多重通信ネットワークインターフェース１０４を含みうる。一例では、地上ベースのネットワーク１０２は、インターネットプロトコル（ＩＰ）ネットワークとして具現化されうる。
【００２８】
同様に、一部のモニタリングは、コネクタ１５０が地上電力システム１３０に接続されていようがいまいが、実施されうる。例えば、コネクタ１５０は、輸送体１２０と地上電力システム１３０の一方又は両方から断接されると、コネクタ１５０自体において電気伝導体及びデータ回線の機能健全性状況を特徴付けるデータをモニタし、収集するよう構成されているセンサ（図示していないが、図５の携帯型ＢＰＬモデム５１１及び終点ＢＰＬモデム５１４を参照のこと）から、データを取得しうる。一部の実行形態では、コネクタが地上電力システム１３０から断接されている間、地上電力システム１３０との再接続が行われる時まで、関連データを記憶するために、ローカルストレージ（例えば、コネクタ１５０内のメモリ又は記憶デバイス）が使用されうる。
【００２９】
コネクタ１５０が輸送体１２０に接続されている時には、モニタされる構成要素は、輸送体１２０上の電気システム及びネットワークシステムの構成要素を含む。例えば、コネクタ１５０は、ＢＰＬデータ回線を介して輸送体１２０に電気的かつ通信可能に連結されるよう、構成されうる。かかる実行形態では、コネクタ１５０は、センサから電力品質データ及び負荷管理データを受信してよく、これらのセンサは、輸送体１２０におけるＢＰＬデータ回線経由の送信に関して、及びコネクタ１５０自体に関して、電力品質データ及び負荷管理データを収集するよう構成されている。コネクタ１５０が地上電力システム１３０に接続されている時には、モニタされる構成要素は、地上電力システム１３０内の電気的構成要素及びネットワーク構成要素を含みうる。様々な実行形態において、コネクタ１５０は、受信した電力品質データ及び負荷管理データを、多用途電力インターフェース１１０におけるデータ回線を介して遠隔の記憶装置又はデータリポジトリに、解析のために送信する。一部の実行形態では、この解析は、ビッグデータ解析技法を使用して、コネクタ１５０が受信したセンサデータに基づいて、モニタされているネットワーク構成要素と電気的構成要素のそれぞれの機能健全性状況を判定することを含みうる。かかるセンサデータは、コネクタが又は別の記憶デバイスが経時的に受信し、記憶した、履歴データを含みうる。解析は、受信したセンサデータに基づいて、コネクタ１５０が航空輸送体１２０に接続されていない時と接続されている時の、交流（ＡＣ）電力線（例えばスティンガＡＣ線）の機能健全性状況を判定することも含みうる。ある種の実行形態では、このデータは、集中ネットワークモニタリングアプリケーションに転送されうる。追加的又は代替的な実行形態では、解析は、ＢＰＬモデム動作及びモデム回線のリアルタイムでのモニタリング及び管理も含みうる。解析は、データ解析を使用して、スティンガＡＣ線の健全性履歴を判定することも含みうる。図２を参照して以下で詳述するように、解析結果（例えば、ネットワーク構成要素及び電気的構成要素の機能健全性状況）は、コネクタ１５０（例えばスティンガコネクタ）に設置されたＬＥＤ状況インジケータを介して、コネクタ１５０のユーザインターフェース（例えば、図２のユーザインターフェース２９０を参照のこと）に、リアルタイムで表示されうる。これにより、航空機とコネクタ１５０とのインターフェースにおける人員が、機能健全性状況を即座に確認しうる。一部の実行形態では、コネクタ１５０は、コネクタ１５０の機能健全性状況（例えばスティンガ健全性）、及びＢＰＬモデムといったネットワーク構成要素の機能健全性状況（例えば、ＢＰＬモデムの動作状況）のリアルタイム解析を視認するための画像ユーザインターフェース（ＧＵＩ）を伴う、アプリケーションソフトウェアを含みうる。代替的又は追加的な実行形態によると、かかる機能健全性状況は、レポートとしてプリントアウトされること、及び双方向性ＧＵＩにより視認又は印刷されることも可能である。この双方向性ＧＵＩは、ユーザが印刷又は視認を希望するパラメータを制御する能力をユーザに提供するために、ユーザ入力を受諾するよう、動作可能である。
【００３０】
図２を参照して以下で詳述するように、多用途電力インターフェース１１０は、光学部（例えば光ファイバ（複数可）又は光ケーブル）と電力部（例えば電気伝導性材料）の両方を備えうる。例えば、コネクタ１４０及び１５０は、光学部（例えば光ファイバ（複数可）又は光ケーブル）及び電力部（例えば電気伝導性材料）を備えうる。稼働時に、データは、輸送体１２０の少なくとも１つの機上システム（図示せず）と地上電力システム１３０内の構成要素との間で、コネクタ１４０と１５０及び多用途電力インターフェース１１０を介して、往復伝送される。加えて、電力は、地上電力システム１３０から、コネクタ１４０と１５０及び多用途電力インターフェース１１０を介して、輸送体１２０の少なくとも１つの機上システム（図示せず）に供給される。
【００３１】
様々な実行形態において、輸送体１２０の少なくとも１つの機上システムは、様々な異なる種類のシステムであって、航空電子システム、航空機制御領域システム、航空機情報システム、ビデオ監視システム、飛行中エンターテイメントシステム、及び／又は特務飛行（ｍｉｓｓｉｏｎ）システムを含むがそれらに限定されるわけではない、システムを含みうる。少なくとも１つの実行形態において、データは、航空機制御領域データ（例えば、航空電子データ、飛行管理コンピュータデータ）、航空機情報システムデータ（例えば、気象データ、航空機状況データ、周囲温度データ、風データ、滑走路位置データ、着陸用フライトレベルデータ）、又は飛行中エンターテイメントデータ（例えば、映画データ、音楽データ、及びゲームデータ）のうちの、少なくとも１つを含む。
【００３２】
他の実行形態では、輸送体１２０は図１に描かれている単一のコネクタ１４０よりも多い数のコネクタ１４０を備えうることに、留意すべきである。かかる実行形態によると、コネクタ１５０における別個の多用途電力インターフェース１１０が、輸送体１２０の複数のコネクタ１４０のそれぞれに接続されることになる。このような実行形態によると、コネクタ１５０における多用途電力インターフェース１１０は、１を上回る数の地上電力システム１３０に接続されうる。かかる実行形態では、電気システム及びネットワークシステムの構成要素は、コネクタ１５０における多用途電力インターフェース１１０によってモニタされることになり、モニタされたデータは、中央データ記憶装置又はデータリポジトリに解析のために送信される。コネクタ１５０が地上電力システム１３０に接続されていない状況においては、モニタされたデータは、コネクタ１５０におけるローカルデータ記憶装置に記憶される。例えば、コネクタ１５０が地上電力システム１３０から一時的に断接されている場合、センサから収集されたデータは、地上電力システム１３０との再接続が行われる時まで、コネクタ１５０におけるローカルのメモリ又は記憶媒体に記憶される。
【００３３】
図２は、少なくとも１つの実行形態による、図１の多用途電力インターフェース１１０のコネクタ１５０の例示的なユーザインターフェース２９０を示す図２００である。図２００に示しているように、例示的な多用途電力インターフェースのコネクタ１５０は、電気的特性及びネットワーク特性の状況を表示するためのユーザインターフェース２９０を含む。コネクタは、ユーザインターフェース２９０に提示される結果を生成し、記憶し、かつ表示するために、プロセッサ（例えば中央処理装置（ＣＰＵ））及びロ―カルデータストレージ（図示していないが、図９のプロセッサユニット９０４及び記憶デバイス９１６を参照のこと）を含みうる。例えば、コネクタ１５０は、ローカルストレージ及び埋設型ＣＰＵを使用する、ローカルでホスティングされるデータ収集・解析能力に加えて、プロセッサベースの、一体化された電流／電圧／温度／磁場強度のセンサ（例えば、温度計及び磁力計を伴うマルチメータ）、ＢＰＬモデム、及び埋設型フラットスクリーンディスプレイデバイスを含みうる。例示的な一実行形態では、ユーザインターフェース２９０は、色パターンで発光する（例えば、欠陥又は不活性回路を示すために赤色が点滅する）ＬＥＤを含みうる。
【００３４】
コネクタ１５０は、輸送体１２０のコネクタ１４０（図１に示している）に装着される（例えば嵌合される）。コネクタ１５０は、ユーザインターフェース２９０と、絶縁されたベース２６０と、ベース２６０の周りに延在する側壁２７０とを有する、ハウジング２５０を備える。一部の実行形態によると、ハウジング２５０は、多用途電力インターフェース１１０及びコネクタ１５０を一意的に特定するために読み込まれ、使用されうる機械可読光バーコード（例えばクイックレスポンスコード（ＱＲコード）又は無線識別（ＲＦＩＤ）タグなど）も含みうる。
【００３５】
図２に示している代替的又は追加的な実行形態では、コネクタ１５０は、携帯デバイス（図示せず）であって、そのディスプレイにユーザインターフェース２９０の拡張バージョンを表示するためのアプリケーションソフトウェアを実行する携帯デバイスと、無線通信するための無線通信インターフェース２９２を含みうる。例えば、携帯デバイスは、アドホックベースとインフラストラクチャモードのいずれかで、携帯デバイスのディスプレイにユーザインターフェース２９０のあるバージョンを描出するためのアプリケーションソフトウェアを実行する、スマートフォン又はタブレットデバイスとして具現化されうる。無線通信インターフェース２９２は、一又は複数の無線通信プロトコル又は無線通信技術（時分割多重アクセス（ＴＤＭＡ）、符号分割多重アクセス（ＣＤＭＡ）、移動通信向けグローバル方式（ＧＳＭ）、拡張データＧＳＭ環境（ＥＤＧＥ）、広帯域符号分割多重アクセス（Ｗ−ＣＤＭＡ）、ロングタームエボリューション（ＬＴＥ）、ＬＴＥ−アドバンスト、Ｗｉ−Ｆｉ（ＩＥＥＥ８０２．１１など）、ブルートゥース、Ｗｉ−ＭＡＸ、近距離無線通信（ＮＦＣ）プロトコル、又は他の任意の好適な無線通信プロトコルを含む）を使用して、携帯デバイスと無線通信しうる。例えば、無線通信インターフェース２９２は、ハウジング２５０と一体化されている無線トランシーバであって、スマートフォン又はタブレットデバイスで実行されるアプリケーションソフトウェアと無線でデータを交わすよう動作可能な、無線トランシーバとして実装されうる。具体的には、無線通信インターフェース２９２は、通信が求められる範囲に応じていくつかの異なる種類の無線ネットワークを経由して、通信を行いうる。例えば、近距離無線トランシーバ（例えばブルートゥース又はＮＦＣ）、中距離無線トランシーバ（例えばＷｉ−Ｆｉ）、及び／又は長距離無線トランシーバが、通信の種類又は通信の範囲に応じて使用されうる。
【００３６】
図２に更に示しているように、コネクタ１５０は、ハウジング２５０と一体化されている外部有線通信インターフェース２９４であって、ユーザインターフェースを提供する断接可能な可搬式デバイスとの接続のために使用されうる、外部有線通信インターフェース２９４も含みうる。一部の実行形態では、有線通信インターフェース２９４は、ユーザインターフェース２９０の拡張バージョンを表示する可搬式デバイスにデータを送るために使用されうる。有線通信インターフェース２９４は、インターネットプロトコル（ＩＰ）、シリアル接続プロトコル（Ｓｅｒｉａｌ  ｃｏｎｎｅｃｔｉｏｎ  ｐｒｏｔｏｃｏｌ）、又は他の任意の好適な通信プロトコルを含む一又は複数の通信プロトコル又は通信技術を使用して、可搬式デバイスと通信するために使用されうる。一部の実行形態では、可搬式デバイスは、コネクタ１５０内に含まれているＢＰＬモデムと直接通信しうるか、又はかかるＢＰＬモデムを通じて通信を行いうる、ＢＰＬモデムを含みうる。また、例えば、可搬式デバイスは、コネクタ１５０において内部常駐センサを使用する代替として、電力センサを含みうる。更に、例えば、可搬式デバイスは、ＢＰＬモデムと図２に示しているユーザインターフェース２９０の拡張バージョンを描出するためのディスプレイデバイスとを含む、断接可能なＡＣ電力センサとして実装されうる。様々な実行形態において、可搬式デバイスは、無線通信インターフェース２９２又は有線通信インターフェース２９４を通じて、コネクタ１５０に接続されうる。つまり、可搬式デバイスは、コネクタ１５０との、有線又は無線の相互接続を有しうる。様々な実行形態において、可搬式デバイスは、スタンドアロンアプリケーションをホスティングし、実行しうるか、集中ネットワーキングモニタリングソリューションのカスタムエクステンションにアクセスしうるか、又は、カスタムアプリケーションであって、このアプリケーションが必要とするメトリックに特化したカスタムアプリケーションを実行しうる。ある種の実行形態によると、アプリケーションにより、データ解析（例えば予測解析）の結果に基づいた、その時点の健全性状況、健全性状況の履歴、又は健全性状況の予測が、プリントされうるか又は視認されうる。
【００３７】
図２に描かれているように、ユーザインターフェース２９０は、状況インジケータ２９０ａ、２９０ｂ、２９０ｃ、２９０ｄ、２９０ｅ、及び２９０ｆを含み、これらはそれぞれ、電気的構成要素及びネットワーク構成要素の機能健全性状況を示す。一部の実行形態では、状況インジケータ２９０ａ、２９０ｂ、２９０ｃ、２９０ｄ、２９０ｅ、及び２９０ｆは、電気回線及びデータ回線の特性に対応する機能健全性状況を示すために、特定のパターン（例えば、色、点滅、拍動）で発光しうるＬＥＤである。図２の例では、状況インジケータ２９０ａ、２９０ｂ、２９０ｃ、２９０ｄ、２９０ｅ、及び２９０ｆは、データ（例えばデータ回線）、時間、ファイバ（例えば、その時点のデータ伝送速度が１２７メガビット／秒（Ｍｂｐｓ）のファイバデータ回線）、電圧、電流、及びＡ相（例えば、三相交流（ＡＣ）線のうちの一相の電圧）という特性の、機能性状況を示す。
【００３８】
例示的な一実行形態では、コネクタ１５０のプロセッサは、コネクタ１５０のＢＰＬデータ回線が健全である（例えば、予期されるデータ速度範囲内で動作している）という判定に応じて、状況インジケータ２９０ａを緑に発光させうる。また、例えば、コネクタ１５０のプロセッサは、コネクタ１５０の一又は複数のＢＰＬデータ回線が予期されるデータ速度範囲を下回って動作している（例えば、健全ではない）という判定に応じて、状況インジケータ２９０ａを黄色く拍動させうる。更に、例えば、コネクタ１５０のプロセッサは、コネクタ１５０のＢＰＬデータ回線の大部分（又は全て）が予期されるデータ速度範囲を下回って動作しているという判定に応じて、状況インジケータ２９０ａを赤く点滅させうる。
【００３９】
図２に示しているように、６つのピン２１０ａ、２１０ｂ、２１０ｃ、２２０、２３０ａ、及び２３０ｂが、コネクタ１５０のベース２６０から延在している。ピン２１０ａ、２１０ｂ、２１０ｃ、２２０、２３０ａ、及び２３０ｂの各々は、直線的な先端電力部（金属要素としてアルミニウム、銅、又は鋼といった電気伝導性材料を有する、外部導電フェルール）２８０ａ、２８０ｂ、２８０ｃ、２８０ｄ、２８０ｅ、２８０ｆと、光データ回線コア部（シングルモード型若しくはマルチモード型の光ファイバであるか、あるいは銅と光ファイバケーブルとのアセンブリを伴うギガビットレンジのイーサネットポートとして個別に構成された、少なくとも単一のストランドを備えるもの）２４０ａ、２４０ｂ、２４０ｃ、２４０ｄ、２４０ｅ、２４０ｆとを、含む。ピン２１０ａ、２１０ｂ、２１０ｃ、２２０、２３０ａ、２３０ｂの各々の光学部２４０ａ、２４０ｂ、２４０ｃ、２４０ｄ、２４０ｅ、２４０ｆは、ピン２１０ａ、２１０ｂ、２１０ｃ、２２０、２３０ａ、２３０ｂの電力部２８０ａ、２８０ｂ、２８０ｃ、２８０ｄ、２８０ｅ、２８０ｆの端部の内部に延在し、かかる端部とコエクステンシブに（例えば同一平面に）なる。あるいは、コネクタ１５０は、光データ回線コア部を伴わずに、電気伝導性材料のピン２１０ａ、２１０ｂ、２１０ｃ、２２０、２３０ａ、及び２３０ｂだけを含む。
【００４０】
一又は複数の実行形態では、ピン２１０ａ、２１０ｂ、２１０ｃの電力部２８０ａ、２８０ｂ、２８０ｃは、輸送体１２０に三相交流（ＡＣ）電力を供給する（すなわち、３つのピン２１０ａ、２１０ｂ、２１０ｃの各々が異なる正弦波位相を有する）。ピン２２０は、中性ピンであり、接地として機能する。ピン２３０ａと２３０ｂは、コネクタ１５０のピン２１０ａ、２１０ｂ、２１０ｃ、２２０が輸送体１２０のコネクタ１４０のソケット内に適切に収まる（例えば嵌合される）ことを確実にするために使用される、インターロックピンである。そのため、稼働時に、コネクタ１５０が輸送体１２０のコネクタ１４０内に完全に収まる前に多用途電力インターフェース１１０が通電されるのを防止するために、インターロックピン２３０ａ及び２３０ｂは、ピン２１０ａ、２１０ｂ、２１０ｃ、２２０、２３０ａ、及び２３０ｂがコネクタ１５０のソケットの中に全て完全に収まるまで、地上電力システム１３０が多用途電力インターフェース１１０及び輸送体１２０に電力を提供できないようにする。インターロックピン２３０ａ及び２３０ｂは、コネクタ１５０のもっと長いピン２１０ａ、２１０ｂ、２１０ｃ、２２０が輸送体１２０のコネクタ１４０のソケット内に完全に収まることを確実にするために、長さが短くなっている。インターロックピン２３０ａ及び２３０ｂによって提供されるこの保護的特徴により、アークフラッシュの軽減がもたらされ（例えば、コネクタ１５０における、航空輸送体１２０に至るアーク発生が防止され）、かつ、地上クルーに安全性が提供される（例えば、地上クルーが、未固定の通電している多用途電力インターフェース１１０を扱うことにより感電することが防止される）。一部の実行形態によると、可搬式デバイスの周囲に保護シールドがあることもある。
【００４１】
例示的な一実行形態によると、コネクタ１５０のプロセッサは、コネクタ１５０の電力部（例えば、電気伝導性材料を含む導電部）が、予期される電圧範囲内の電圧を提供している（例えば、提供されている電圧が１１５＋／−５Ｖａｃ（交流電圧）であるかどうか）という判定に応じて、状況インジケータ２９０ｄを緑に発光させうる。更に、例えば、コネクタ１５０のプロセッサは、コネクタ１５０の一又は複数の電力部が予期される電圧範囲内の電圧を提供していないという判定に応じて、状況インジケータ２９０ｄを黄色く拍動させうる。加えて、例えば、コネクタ１５０のプロセッサは、コネクタ１５０の電力部の大部分が予期される電圧範囲内の電圧を提供していないという判定に応じて、状況インジケータ２９０ｄを赤く点滅させうる。
【００４２】
別の例示的な実行形態では、コネクタ１５０のプロセッサは、多用途電力インターフェース１１０によって提供されている電流（例えば電流量）がおおよそ予期される通りの電流である（例えば、電流量が負荷管理データに示された負荷プロファイルの通常範囲内である）という判定に応じて、状況インジケータ２９０ｅを緑に発光させうる。更に、例えば、コネクタ１５０のプロセッサは、多用途電力インターフェース１１０によって提供されている電流（例えば電流量）が予期される電流を若干下回る（例えば、電流量が通常範囲を下回っている）という判定に応じて、状況インジケータ２９０ｅを黄色く拍動させうる。加えて、例えば、コネクタ１５０のプロセッサは、多用途電力インターフェース１１０によって提供されている電流（例えば電流量）が予期される電流をはるかに下回るという判定に応じて、状況インジケータ２９０ｅを赤く点滅させうる。一部の実行形態によると、可搬式デバイスの挙動は、この可搬式デバイスが、どのように動作するか、及び、スタンドアロンデバイスとして実装されるかそれとも集中システムのエクステンションとして実装されるか、という点でのカスタム化を可能にするよう、設定可能である。
【００４３】
更に別の例示的な実行形態では、コネクタ１５０のプロセッサは、多用途電力インターフェース１１０によって提供されている電力からの相分離がおおよそ予期される通りの相分離であるという判定に応じて、状況インジケータ２９０ｆを緑に発光させうる。加えて、例えば、コネクタ１５０のプロセッサは、多用途電力インターフェース１１０によって提供されている電力からの相分離が予期される相分離ではないという判定に応じて、状況インジケータ２９０ｆを赤く点滅させうる。
【００４４】
輸送体１２０が地上にある時に、コネクタ１５０は、輸送体１２０の少なくとも１つの機上システム（図示せず）に電気的に接続される。より具体的には、ピン２１０ａ、２１０ｂ、２１０ｃ、２２０、２３０ａ、及び２３０ｂの各々が、少なくとも１つのかかる機上システムに接続されて、電力部２８０ａ、２８０ｂ、２８０ｃ、２８０ｄ、２８０ｅ、２８０ｆを介して電力を提供する。加えて、ピン２１０ａ、２１０ｂ、２１０ｃ、２２０、２３０ａ、及び２３０ｂの各々は、電力部（例えばＢＰＬ回線）２８０ａ、２８０ｂ、２８０ｃ、２８０ｄ、２８０ｅ、２８０ｆを介する、及び／又は光学部（例えば、光ファイバ（複数可）又は光ファイバケーブルを介するデータ通信）２４０ａ、２４０ｂ、２４０ｃ、２４０ｄ、２４０ｅ、２４０ｆを介する、通信（例えばデータの伝送）を可能にするために、少なくとも１つのかかる機上システムに接続される。コネクタ１５０が輸送体１２０に電気的に接続されているか否かを問わず、コネクタ１５０のユーザインターフェース２９０は、ネットワーク構成要素及び電気的構成要素の機能健全性状況を表示することが可能である。例えば、コネクタ１５０が輸送体１２０から断接されている時でも、ユーザインターフェース２９０は、図１の地上電力システム１３０を介し、多用途電力インターフェース１１０が接続されているインターロックピン２３０ａ及び２３０ｂを介して、コネクタ１５０内の埋設型構成要素に直流（ＤＣ）遠隔電力を電力供給することによって、電気的構成要素及びネットワーク構成要素に関する機能健全性状況を表示しうる。コネクタ１５０が輸送体１２０に接続されると、コネクタ１５０は、輸送体１２０から、インピーダンスを読み取り、負荷管理データを受信し、かつその他の診断データ及びセンサデータを取得しうる。かかるデータは、輸送体１２０上のネットワーク構成要素及び電気的構成要素の保守及び不具合対策の予測に使用されうる。
【００４５】
コネクタ１５０及びユーザインターフェース２９０の具体的な構成は、関与する特定の輸送体１２０及び機上システムに応じて、大きく変動しうる。図２に示しているコネクタ１５０とユーザインターフェース２９０は、１つの例示的なコネクタとユーザインターフェースにすぎない。例えば、状況インジケータ２９０ａ、２９０ｂ、２９０ｃ、２９０ｄ、２９０ｅ、及び２９０ｆのサイズ、数、及び配置は、モニタされる特性及び構成要素の数及び種類にしたがって変動しうる。加えて、ユーザインターフェース２９０は、タッチスクリーンディスプレイデバイス若しくは液晶ディスプレイ（ＬＣＤ）、又はハウジング２５０に組み込まれたその他の好適なフラットパネルディスプレイデバイスとして、具現化されうる。例えば、具現化された、コネクタのハウジング２５０と一体化されたタッチスクリーンディスプレイデバイスは、ユーザインターフェース２９０を提示するため、及びコネクタ１５０のユーザからの入力を受諾するために、使用されうる。また、例えば、ピン２１０ａ、２１０ｂ、２１０ｃ、２２０、２３０ａ、及び２３０ｂのサイズ及び数も変動しうる。ピン２１０ａ、２１０ｂ、２１０ｃ、２２０、２３０ａ、及び２３０ｂの具体的な配置も変動しうる。加えて、コネクタ１５０のために選択される材料は、輸送体１２０が動作する具体的な環境によって変わりうる。
【００４６】
図３は、本開示の一又は複数の実行形態による、図１及び図２の多用途電力インターフェース１１０のための例示的な取り外し可能なアダプタ３５０を示す図３００である。簡潔にするために、前の図又は後続の図と比較して図同士の間に発生する相違についてのみ、以下で説明する。
【００４７】
ある種の実行形態によると、図１及び図２を参照して上述したコネクタ１５０の性能の全てが、取り外し可能なアダプタ３５０に装備される。例えば、図３に示しているように、取り外し可能なアダプタ３５０は、無線通信インターフェース２９２と、有線通信インターフェース２９４と、電気的特性及びネットワーク特性の状況を表示するためのユーザインターフェース２９０とを、含む。具体的には、ユーザインターフェース２９０、及び電気的構成要素とネットワーク構成要素のそれぞれの機能健全性状況を示すよう構成された状況インジケータ２９０ａ、２９０ｂ、２９０ｃ、２９０ｄ、２９０ｅ、及び２９０ｆが、取り外し可能なアダプタ３５０のハウジングと一体化される。
【００４８】
図３に示しているように、６つのピン２１０ａ、２１０ｂ、２１０ｃ、２２０、２３０ａ、及び２３０ｂが、取り外し可能なアダプタ３５０のベースから延在している。図２に関連して上述したように、ピン２１０ａ、２１０ｂ、２１０ｃ、２２０、２３０ａ、及び２３０ｂの各々は、直線的な先端電力部（金属要素としてアルミニウム、銅、又は鋼といった電気伝導性材料を有する、外部導電フェルール）と、光データ回線コア部（シングルモード型若しくはマルチモード型の光ファイバであるか、あるいは銅と光ファイバケーブルとのアセンブリを伴うギガビットレンジのイーサネットポートとして個別に構成された、少なくとも単一のストランドを備えるもの）とを、含む。ピン２１０ａ、２１０ｂ、２１０ｃ、２２０、２３０ａ、２３０ｂの各々の光学部は、ピン２１０ａ、２１０ｂ、２１０ｃ、２２０、２３０ａ、及び２３０ｂの電力部の端部の内部に延在し、かかる端部とコエクステンシブに（例えば同一平面に）なる。あるいは、取り外し可能なアダプタタ３５０は、コエクステンシブな光学部を伴わずに、電気伝導性材料のピン２１０ａ、２１０ｂ、２１０ｃ、２２０、２３０ａ、及び２３０ｂだけを含む。
【００４９】
取り外し可能なアダプタ３５０のベースから延在しているピン２１０ａ、２１０ｂ、２１０ｃ、２２０、２３０ａ、及び２３０ｂは、輸送体（図示していないが、図１の輸送体１２０を参照のこと）のコネクタ１４０における対応するソケット又はレセプタクル（図示せず）の中に収まる（例えば嵌合される）よう適合している。コネクタ１４０は、多用途電力インターフェース１１０と輸送体とを、取り外し可能なアダプタ３５０を介して電気的かつ通信可能に連結するために、ピン３８８ａ〜ｆを含む。同様に、標準的なコネクタ３５５（例えば標準的なスティンガコネクタ）のピン３８０ａ〜ｆの各々は、取り外し可能なアダプタ３５０の一端におけるソケット３８４ａ〜ｆの各々の中に収まるよう、適合している。一部の実行形態では、標準的なコネクタ３５５は、光ファイバ性能も光学部も含まない。図３に示しているように、標準的なコネクタ３５５は、多用途電力インターフェース１１０の一端部１６０に取り付けられ、ピン３８０ａ〜ｆを介して、取り外し可能なアダプタ３５０に接続される。取り外し可能なアダプタ３５０は、ピン２１０ａ、２１０ｂ、２１０ｃ、２２０、２３０ａ、及び２３０ｂを介して、輸送体のコネクタ１４０に取り付けられる。つまり、取り外し可能なアダプタ３５０は、多用途電力インターフェース１１０の一端部１６０が標準的なコネクタ３５５を有している状況において、一端部１６０と輸送体とを電気的かつ通信可能に連結するために、使用されうる。このようにして、図３に示している取り外し可能なアダプタ３５０は、図１及び図２に関連して上述したコネクタ１５０の機能をモニタし、解析し、かつレポートする性能を、（かかる性能が欠如しており、ユーザインターフェース２９０を含まない）標準的なコネクタ３５５に提供するために、使用されうる。
【００５０】
図４は、電気的構成要素及びネットワーク構成要素（例えば航空機ネットワークの構成要素など）のモニタリングで使用される例示的なシステム４００の図である。図４の例では、システム４００は、地上の（空港、工場、保守施設などにおける）輸送体１２０（例えば飛行機）で機能する。本書で使用される場合、「空港（ａｉｒｐｏｒｔ）」という語は、航空機（固定翼飛行機、ヘリコプター、小型軟式飛行船（ｂｌｉｍｐｓ）、又はその他の航空機など）が離着陸する、任意の場所のことである。システム４００は、航空輸送体１２０に電力を供給する、電力システム又は地上電力システム１３０（例えば地上電力ユニット）を含む。この例示的な実行形態では、地上電力システム１３０は、可動式の地上ベースの電力カートであって、空港の又は空港に隣接したある場所において地上に駐機している航空輸送体に選択的に電力を供給する、電力カートである。一実行形態では、地上電力システム１３０は、空港において使用される従来型の電力供給システムでありうる。地上電力システム１３０は、輸送体１２０が駐機しているか、又はドックにある（ｄｏｃｋｅｄ）時（例えば、航空輸送体が空港に駐機している時）に、輸送体１２０に連結される。図４の例では、多用途電力インターフェース１１０（例えば電力スティンガケーブル）が、コネクタ１５０（例えば、輸送体１２０におけるスティンガコネクタ）及び地上電力インターフェース接続部４５０（例えば、地上電力システム１３０における別のスティンガコネクタ）を介して、輸送体１２０と地上電力システム１３０とを連結している。ある種の実行形態において、地上電力インターフェース接続部４５０は、地上電力システム１３０（例えば地上電力ユニット）を介して、多用途電力インターフェース１１０と輸送体１２０とを電気的かつ通信可能に連結するよう、動作可能である。一実行形態では、地上電力システム１３０は、多用途電力インターフェース１１０を介して、輸送体１２０（例えば航空機）に４００ヘルツ（Ｈｚ）の電力を提供する。例えば、地上電力インターフェース接続部４５０は、飛行輸送体のエンジンがオフになっている時に飛行輸送体１２０に交流（ＡＣ）電力を提供するよう、構成されうる。しかし、代替的な実行形態では、輸送体１２０の具体的な種類に適した任意の電力が、多用途電力インターフェース１１０を介して提供されうる。ある種の実行形態では、輸送体１２０は、多用途電力インターフェース１１０を介した通信を可能にする、機上ＢＰＬモデム４１１を含む。より具体的には、図４の例示的な実行形態では、機上ＢＰＬモデム４１１は、カプラ４１０（例えば誘導性カプラ又は容量性カプラ）を通じて、コネクタ１５０に連結されている。機上ＢＰＬモデム４１１は、地上電力システム１３０に含まれた機外ＢＰＬモデム４１４と通信することが可能である。機上ＢＰＬモデム４１１は、機外ＢＰＬモデム４１４、及び輸送体１２０内にありうる他の機上ＢＰＬモデム４１１と、同時に通信することによって、レピータとして機能しうる。図４の例では、輸送体１２０が駐機している時に、機上ＢＰＬモデム４１１は、機上ネットワーク４１８（飛行中エンターテイメントシステム、航空電子システム、飛行制御システム、電子フライトバッグ（複数可）、及びキャビンシステムなどであるが、それらに限定されるわけではない）に通信可能に連結されている。
【００５１】
図４に示している例示的な実行形態では、地上電力システム１３０は、カプラ４１６（例えば誘導性カプラ又は容量性カプラ）に連結された、機外ＢＰＬモデム４１４を含む。カプラ４１６は、機外ＢＰＬモデム４１４と多用途電力インターフェース１１０とを誘導的又は容量的に連結する。カプラ４１６は更に、多用途電力インターフェース１１０へと通信信号を伝送する。地上電力システム１３０は、輸送体１２０と直接通信して機上ネットワーク４１８にデータを伝送しうる、演算デバイス４２２も含む。この例示的な実行形態では、機外ＢＰＬ４１４は、地上ベースのネットワーク１０２に通信可能に連結されている多重通信ネットワークインターフェース１０４にも連結される。例えば、一実行形態では、多重通信ネットワークインターフェース１０４は、地上ベースのネットワーク１０２との間でデータ送信を行う、地上側のインターフェースである。多重通信ネットワークインターフェース１０４は、無線トランシーバを通じて地上ベースのネットワーク１０２と無線連結されうるか、又は、有線接続を通じて地上ベースのネットワーク１０２と物理的に連結されうる。多重通信ネットワークインターフェース１０４は、ブロードバンド通信を可能にする任意のプロトコルを使用して、地上ベースのネットワークネットワーク１０２と通信しうることに、留意すべきである。一例では、地上ベースのネットワーク１０２は、インターネットプロトコル（ＩＰ）ネットワークとして具現化されうる。
【００５２】
図４に示している例示的な実行形態では、輸送体１２０は、多用途電力インターフェース１１０を介して地上電力システム１３０から電力を受信し、かつ、多用途電力インターフェース１１０を介して地上ベースのネットワーク１０２との間でデータ通信を送受信する。ある種の実行形態では、輸送体輸送体１２０は、ネットワークにおいてＴＣＰ／ＩＰ通信プロトコルを使用して、機上ＢＰＬモデム４１１を介して通信を行う。ただし、他の任意の好適なデータ通信プロトコルも使用されうる。一部の実行形態では、輸送体１２０と地上ベースのネットワーク１０２及び／又は演算デバイス４２２との間で更に安全な通信を行うために、暗号化が用いられる。例えば、かかる一部の実行形態によると、データ通信は、セキュアソケットレイヤー（ＳＳＬ）、セキュアシェル（ＳＳＨ）、ハイパーテキストトランスファープロトコルセキュア（ＨＴＴＰＳ）、又は別の暗号通信プロトコルといったプロトコルを使用して、暗号化される。受信された電力は、電力バス４２８に分配される。
【００５３】
図４に示している代替的又は追加的な実行形態では、地上電力システム１３０は、システム４００の電気的構成要素及びネットワーク構成要素のモニタリングの結果を表示するためのアプリケーションソフトウェアを実行する携帯デバイス（図示せず）と（例えば暗号化された通信を介して）無線通信するための、無線インターフェース４９２を含みうる。例えば、携帯デバイスは、この携帯デバイスのディスプレイに図２に示しているユーザインターフェース２９０の一バージョンを提示するためのアプリケーションソフトウェアを実行する、スマートフォン又はタブレットデバイスとして具現化されうる。無線インターフェース４９２は、ＴＤＭＡ、ＣＤＭＡ、ＧＳＭ、ＥＤＧＥ、Ｗ−ＣＤＭＡ、ＬＴＥ、ＬＴＥ−アドバンスト、Ｗｉ−Ｆｉ、ブルートゥース、Ｗｉ−ＭＡＸ、ＮＦＣプロトコル、又は他の任意の好適な無線通信プロトコルを含む、一又は複数の無線通信プロトコル又は無線通信技術を使用して、携帯デバイスと無線通信しうる。例えば、無線通信インターフェース４９２は、地上電力システム１３０と一体化されている無線トランシーバであって、スマートフォン又はタブレットデバイスで実行されるアプリケーションソフトウェアと無線でデータを交わすよう構成されている、無線トランシーバとして実装されうる。より具体的には、無線インターフェース４９２は、通信が求められる範囲に応じていくつかの異なる種類の無線ネットワークを経由して、通信を行いうる。例えば、近距離無線トランシーバ（例えばブルートゥース又はＮＦＣ）、中距離無線トランシーバ（例えばＷｉ−Ｆｉ）、及び／又は長距離無線トランシーバが、通信の種類又は通信の範囲に応じて使用されうる。アプリケーションソフトウェアは、携帯機器で実行されるスタンドアロンアプリケーションであっても、アプリケーションサーバ４２４によってホスティングされている集中アプリケーションの携帯クライアント（例えばウェブベースのクライアント）であってもよい。
【００５４】
図４に更に示しているように、地上電力システム１３０は、ユーザインターフェースを提供する断接可能な可搬式デバイスとの接続のために使用されうる、外部有線インターフェース４９４を更に含みうる。一部の実行形態では、有線インターフェース４９４は、図２に示しているユーザインターフェース２９０の拡張バージョンを表示する可搬式デバイスに、データを送るために使用されうる。有線通信インターフェース４９４は、インターネットプロトコル（ＩＰ）、シリアルプロトコル、又は他の任意の好適な通信プロトコルを含む一又は複数の通信プロトコル又は通信技術を使用して、可搬式デバイスと通信するために使用されうる。一例では、可搬式デバイスは、ＢＰＬモデムと、図２に示しているユーザインターフェース２９０の拡張バージョンを描出するためのディスプレイデバイスとを含む、断接可能なＡＣ電力センサとして実装されうる。様々な実行形態において、可搬式デバイスは、無線インターフェース４９２又は有線通信インターフェース４９４を通じて、地上電力システム１３０に接続されうる。つまり、可搬式デバイスは、地上電力システム１３０との、有線又は無線の相互接続を有しうる。
【００５５】
地上ベースのネットワーク１０２は、アプリケーションサーバ４２４（例えば、一又は複数のアプリケーションをホスティングしているサーバ又はサーバファーム）に通信可能に連結されうる。一又は複数のアプリケーションは、特別な状況（例えば、モニタされている電気的構成要素又はネットワーク構成要素のある特定のパラメータ又は特性）をモニタするための、スタンドアロンアプリケーションを含みうる。図４では単一のアプリケーションサーバ４２４だけを図示しているが、システム４００は複数のサーバ４２４を含みうることを、理解されたい。アプリケーションサーバ４２４は、航空会社、又は輸送体１２０を所有し、賃貸し、又は稼働させる団体によって、操作されうる。あるいは、アプリケーションサーバ４２４は、第三者（例えば空港、輸送体製造者、及び／又は輸送体サービス提供者など）によって運転されうる。例えば、アプリケーションサーバ４２４は、ローカルエリアネットワーク（ＬＡＮ）、ワイドエリアネットワーク（ＷＡＮ）、及び／又はインターネットを介して、地上ベースのネットワーク１０２に連結されうる。アプリケーションサーバ４２４は、輸送体１２０にデータを送信し、輸送体１２０からデータを受信しうる。例えば、アプリケーションサーバ４２４は、輸送体１２０の構成要素に、ソフトウェア及び／又はファームウェアの更新を提供しうる（例えばキャビンシステムソフトウェア、電子フライトバッグ（ＥＦＢ）、及び航空電子工学ソフトウェア）。アプリケーションサーバ４２４、又はアプリケーションサーバ４２４で実行されるスタンドアロンアプリケーションは、コンテンツ（音楽、映画、ゲーム、及び／又は航空輸送体１２０上の飛行中エンターテイメントシステムのためのキャッシュされたウェブコンテンツといったインターネットデータなど）も提供しうる。一実行形態では、システム４００は、輸送体１２０のクイックターン中に、輸送体１２０と地上ベースのネットワーク１０２との間でデータを伝送するために使用される。本書で使用される場合、「クイックターン（ｑｕｉｃｋ−ｔｕｒｎ）」という語は、乗客の降機と搭乗との間の、ゲートにおける航空輸送体の短いターンアラウンド時間（すなわち約４０分未満）のことである。クイックターン中に、アプリケーションサーバ４２４又はアプリケーションサーバ４２４で実行されるスタンドアロンアプリケーションのコンテンツが再読み込みされてよく、飛行中に機上サーバ４２６に記憶されたデータが地上ベースのネットワーク１０２に送信されうる。
【００５６】
図４は、機外ＢＰＬモデム４１４を介して多用途電力インターフェース１１０に連結されている地上電力システム１３０を示しているが、機外ＢＰＬモデム４１４が機能することを可能にする他の構成も使用可能であると、認識すべきである。例えば、機外ＢＰＬモデム４１４は、輸送体１２０が多用途電力インターフェース１１０を介して地上電力システム１３０に直接連結されている時に、機上モデム４１１と無線通信しうる。別の例としては、機外ＢＰＬモデム４１４は、演算デバイス４２２を介して輸送体１２０と無線通信するのと同時に、地上電力システム１３０から輸送体１２０に電力が供給されている時には多用途電力インターフェース１１０を介して通信するようにも、構成されうる。
【００５７】
一部の実行形態では、輸送体１２０は、多用途電力インターフェース１１０を介した通信を可能にする、輸送体システムインターフェースユニット４３２を含む。図示している実行形態では、輸送体システムインターフェースユニット４３２は、機上ＢＰＬモデム４１１と併せてコネクタ１５０にも連結されている。追加的又は代替的な実行形態では、輸送体システムインターフェースユニット４３２は、機上ＢＰＬモデム４１１から、別個のコネクタ（例えば別個のスティンガコネクタ）に連結される。更に別の実行形態では、輸送体システムインターフェースユニット４３２は含まれて、機上ＢＰＬモデム４１１は含まれないことがある。輸送体システムインターフェースユニット４３２は、一又は複数のＢＰＬデータ回線を介して、輸送体（例えば航空機）の複数のデータバス４３４に通信可能に連結される。データバス４３４は、輸送体１２０についての情報を搬送する任意のデータバスを含んでよく、かつ機上ネットワーク４１８を含みうる。
【００５８】
輸送体システムインターフェースユニット４３２は、複数のデータバス４３４からデータを受信するために、これらのデータバス４３４に接続される。輸送体システムインターフェースユニット４３２は、受信したデータを非同期的に多重送信し、かつ、受信したデータを、多用途電力システム１１０を経由して地上電力システム１３０に送信するためのイーサネットパケットに変換する。地上電力システム１３０は、ネットワーク通信インターフェース４２０を含む。図４に示している例示的な実行形態では、ネットワーク通信インターフェース４２０は、地上側の輸送体システムインターフェースユニット４３２を含む。追加的又は代替的な実行形態では、ネットワーク通信インターフェース４２０は、輸送体インターフェースユニット４３２とは異なる、地上側の航空機システムインターフェースユニットを含む。ネットワーク通信インターフェース４２０は、輸送体システムインターフェースユニット４３２によって送られたイーサネットパケットを受信し、このデータを、そのオリジナルフォーマットに復号する。ネットワーク通信インターフェース４２０は、地上電力システム１３０内にあるものとして図示されているが、他の実行形態では地上電力システム１３０から分離している。更に、輸送体システムインターフェースユニット４３２とネットワーク通信インターフェース４２０との間の接続は、輸送体１２０に電力及びデータ通信を提供するために使用されるケーブル配線（例えば多用途電力インターフェース１１０）によりなされうる（例えば、電力及びデータ通信のかかる供給が可能な電力ケーブルとして機能するＢＰＬ回線）。データは輸送体システムインターフェースユニット４３２からネットワーク通信インターフェース４２０に送信されると説明しているが、データは、両方の方向に送信されうる（すなわち、データはパケット化され、ネットワーク通信インターフェース４２０から輸送体システムインターフェースユニット４３２にも送信されうる）と、理解すべきである。
【００５９】
ネットワーク通信インターフェース４２０は、二次システム４３８にアンパックデータを出力する。この例示的な実行形態では、二次システム４３８は機能試験ユニット（ＦＴＵ）である。ＦＴＵは、輸送体システム（例えば航空機システム）を試験すること、輸送体システムをモニタすること、センサシミュレーションを提供することなどのための、複数のデバイスを含む。ある種の実行形態では、二次システム４３８は、試験、モニタリング、解析、欠陥検出、欠陥予知、シミュレーションなどに関するデータをネットワーク通信インターフェース４２０から受信するよう構成された、演算デバイスでありうる。かかる実行形態によると、二次システム４３８は、システム４００内のセンサによって収集された電力品質データ及び負荷管理データを受信する。センサは、電力品質データと負荷管理データの少なくとも一方の前処理を実施するよう構成されうる。この前処理は、電圧、電流、周波数、又はセンサによって検出され測定された電気信号に関するその他のパラメータの、信号処理を含みうる。この前処理は、高調波、変調、力率、又はその他の好適な種類のパラメータを特定することを含みうる。センサは、電力品質データと負荷管理データの少なくとも一方を、生の形態（例えば生センサデータ）又は前処理済みの形態で記憶しうる。センサは、イベントに応じて、コネクタ１５０とアプリケーションサーバ４２４の一方又は両方に、このデータを送りうる。一実行形態では、イベントとは、例えば、タイマのエクスプレッション（ｅｘｐｒｅｓｓｉｏｎ）、コネクタ１５０とアプリケーションサーバ４２４のいずれかからのデータリクエスト、又は他の何らかの好適なイベントでありうる。
【００６０】
追加的又は代替的な実行形態では、センサによって収集された電力品質データ及び荷重管理データは、コネクタ１５０で受信され、コネクタ１５０において、解析されて、多用途電力インターフェース１１０に関する機能健全性状況、及び多用途電力インターフェース１１０と輸送体１２０とを電気的かつ通信可能に連結するために使用されるＢＰＬデータ回線の機能健全性状況を判定し、（例えば、図２のユーザインターフェース２９０に）表示するために使用される。かかる電力品質データ及び負荷管理データは、例えば、システム４００における電気的構成要素及びネットワーク構成要素（例えば、多用途電力インターフェース１１０における電気伝導体、機上ＢＰＬモデム４１１と機外ＢＰＬモデム４１４、電力バス４２８、及びデータバス４３４のうちの一又は複数）の特性を含みうる。例えば、電力品質データは、電圧、電流、周波数、電力、無効電力、力率、電圧高調波、電流高調波、全高調波歪み、振幅電圧変調、周波数電圧変調、電流需要振幅、電流需要周波数変調、電圧リップル振幅、電流リップル振幅、電流リップル周波数、電圧リップル周波数、電力遮断、磁場密度（ＭＦＤ）、又はＢＰＬ回線の機能健全性状況の判定に使用可能なその他の電力品質パラメータ、のうちの一又は複数を含みうる。また、例えば、負荷管理データは、負荷識別子（ｌｏａｄ  ｉｄｅｎｔｉｆｉｅｒ）、電流需要高調波、電流需要振幅、電流周波数変調、リップル電流振幅、リップル電流周波数、負荷インピーダンス情報、負荷力率、ソースインピーダンス、インピーダンス整合最適化、ＭＦＤ、フェーザ測定値、インピーダンス、又は輸送体１２０の電気的負荷に関するその他の負荷管理パラメータ、のうちの一又は複数を含みうる。
【００６１】
更に別の実行形態では、二次システム４３８は、地上ベースのネットワーク１０２に連結された遠隔地にデータを送信するために、地上ベースのネットワーク１０２に（有線で又は無線で）通信可能に連結されている、トランシーバでありうる。
【００６２】
図５は、本開示の一又は複数の実行形態による、電気的構成要素及びネットワーク構成要素のモニタリングのための例示的なシステムアーキテクチャ５００を示す図である。
【００６３】
図示しているように、システムアーキテクチャ５００はアプリケーションサーバ４２４を含む。図５では単一のアプリケーションサーバ４２４だけを示しているが、システムアーキテクチャ５００は複数のアプリケーションサーバ４２４を含みうることを、理解されたい。アプリケーションサーバ４２４のうちの１つは、カスタムアプリケーションを有するスタンドアロンデバイスとして機能しうる。このようなアプリケーションサーバ４２４は、電気的構成要素及びネットワーク構成要素の検知、モニタリング、及び管理を解析し、表示するために、多種多様なアプリケーションを提供しうる。かかる検知は、ネットワーク構成要素及び電気的構成要素（図５に示している多用途電力インターフェース１１０に含まれるＢＰＬデータ回線及びＡＣ電力線などであるが、それらに限定されるわけではない）に関する電力品質データ及び負荷管理データを収集するよう構成されている複数のセンサから、電力品質データ及び負荷管理データを受信することを含みうる。センサは、複数のＢＰＬデータ回線における電気伝導体を特徴付けることによって電力品質データを収集するよう構成された、一又は複数の時間領域リフレクトメータ（ＴＤＲ）と周波数領域リフレクトメータ（ＦＤＲ）を含みうる。一部の実行形態では、センサは、多用途電力インターフェース１１０における一又は複数の光ファイバギガビットデータ回線を特徴付けることによって負荷管理データを収集するよう構成された、一又は複数の光時間領域リフレクトメータ（ＯＴＤＲ）も含みうる。様々な実行形態において、センサは、一又は複数の加速度計、湿度センサ、電流計、電圧計、電気抵抗器、ＭＦＤ検出器、インターネットオブシングス（ＩｏＴ）センサ、携帯ＢＰＬモデム５１１、及び終点ＢＰＬモデム５１４も含みうる。コネクタ１５０内の終点ＢＰＬモデム５１４は、機外ＢＰＬモデム４１４、及び輸送体１２０内にありうる別の機上ＢＰＬモデム４１１と同時に通信することによってレピータとして機能しうる。
【００６４】
センサは、システムアーキテクチャ５００の電気的構成要素に関する電力品質データとして、電流、電圧、周波数のうちの少なくとも１つを検出するよう構成されうる。電流パラメータが負荷管理データの例である。センサによって検出され、測定される例示的な電流パラメータは、単相交流（ＡＣ）電流、三相交流（ＡＣ）電流、又は直流（ＤＣ）電流を含みうる。システムアーキテクチャ５００において電流と併せて使用されるその他の負荷管理データは、例えば、電流が記録される時点における飛行輸送体１２０上のソース構成を含みうる。ソース電流をモニタするために一又は複数のセンサを使用することによって、ソース構成が判定されうる。センサは、電力品質データ及び負荷管理データの前処理を実施するよう構成されうる。かかる前処理の例は、電圧、電流、周波数、又はセンサによって検出され測定された電気信号に関するその他のパラメータの、信号処理を含みうる。この前処理は、高調波、変調、力率、又はその他の好適な種類のパラメータを特定することを含みうる。センサは、電力品質データと負荷管理データの少なくとも一方を、生の形態又は前処理済みの形態（例えば前処理済みのセンサデータ）で記憶しうる。センサは、イベントに応じて、コネクタ１５０とアプリケーションサーバ４２４のうちの一又は複数に、このデータを送りうる。一部の実行形態では、イベントは、タイマ（例えば、センサデータのポーリングの定期的リクエストのためのタイマ）のエクスプレッション、コネクタ１５０とアプリケーションサーバ４２４のいずれかからのデータリクエスト、又は他の何らかの好適なイベントのうちの、一又は複数を含みうる。
【００６５】
アプリケーションサーバ４２４は、予測解析を実施するために履歴センサデータ（例えば、測定され記憶された、電力品質データ及び負荷管理データ並びにその他のセンサ測定値）を使用することが可能な、ビッグデータ解析アプリケーションをホスティングしうる。かかる予測解析は、履歴データにおける欠陥に関連するパターンを認識し、次いで、その時点のセンサデータに基づいて将来の発生可能な欠陥を予知又は予測するために、使用されうる。一部の実行形態では、生センサデータは、センサと、コネクタ１５０と、アプリケーションサーバ４２４との間で送信されるためにパケット化される。アプリケーションサーバ４２４によって実施されるビッグデータ解析は、システムアーキテクチャ５００におけるネットワーク構成要素及び電気的構成要素に関する結果予測を実施するために、誘導統計と、情報密度が低いセンサデータの大規模な組から規則又は法則（例えば回帰、非線形関係、及び因果関係）を類推するための非線形システム同定による概念とを使用しうる。例えば、アプリケーションサーバ４２４は、ネットワーク構成要素（例えばＢＰＬモデム）及び電気的構成要素（例えば電気伝導体、ＢＰＬ回線接続部）に関して将来の誤動作及び欠陥を予測するアプリケーションを、ホスティングしうる。アプリケーションサーバ４２４は更に、ディスプレイデバイス（図示していないが、図９のディスプレイデバイス９１４を参照のこと）上に、ＧＵＩにおけるネットワーク構成要素及び電気的構成要素に関する、機能健全性状況及び予測結果を提示しうる。
【００６６】
システムアーキテクチャ５００は地上ベースのネットワーク１０２も含む。一部の実行形態では、地上ベースのネットワーク１０２は、アプリケーションサーバ４２４と地上電力システム１３０（例えば地上電力ユニット）とを通信可能に連結するためにイーサネットネットワーキングを提供する、イントラネットとして具現化されうる。図５に示しているように、地上電力システム１３０は、機外ＢＰＬモデム４１４、及びカプラ４１６（例えば誘導性カプラ又は容量性カプラ）を含む。機外ＢＰＬモデム４１４（例えば地上側のＢＰＬモデム又は電力線通信（ＰＬＣ）モデム）は、ヘッドエンドマスタユニットとして機能し、地上ベースのネットワーク１０２に相互接続性を提供する。
【００６７】
機外ＢＰＬモデム４１４は、カプラ４１６に連結されうる。カプラ４１６は、機外ＢＰＬモデム４１４と、多用途電力インターフェース１１０（例えばスティンガケーブル）に含まれるＡＣ電力線（例えばスティンガＡＣ線）の１つの位相とを連結するよう動作可能な、誘導性又は容量性のカプラとして具現化されうる。一部の実行形態によると、２つのＡＣ位相への連結が好ましい。典型的には多用途電力インターフェース１１０内に三相全てが含まれるので、ＢＰＬ信号は次いで第３位相へと更に誘導されるからである。このようなＡＣ電力線は、図５では、ＡＣ線位相１、ＡＣ線位相２、及びＡＣ線位相４と標示されている。一部の実行形態では、地上電力システム１３０は、航空輸送体１２０の航空機駐機区画（ｓｔａｌｌ）に配置され、三相で１２０ｖのＡＣ  ５００Ｈｚ（又は４００Ｈｚ）サイクルの電力を、ＡＣ電力線を介して輸送体１２０に提供する。
【００６８】
システムアーキテクチャ５００は多用途電力インターフェース１１０を含み、多用途電力インターフェース１１０は、コネクタ１５０及び輸送体１２０のコネクタ１４０を介して地上電力システム１３０及び航空輸送体１２０に接続されている時に、四相で１２０ｖのＡＣ  ５００Ｈｚサイクルの電力を航空機に提供する。一部の実行形態では、コネクタ１５０は、多用途電力インターフェース１１０と配電ユニット（ＰＤＵ）５１３とを接続する航空機のプラグに至る、スティンガケーブルとして具現化される。図５の例では、ＰＤＵ５１３は、航空輸送体１２０における、航空機の電子機器（Ｅｌｅｃｔｒｏｎｉｃ  ａｎｄ  Ｅｑｕｉｐｍｅｎｔ：ＥＥ又はＥ＆Ｅ）ベイである。しかし、追加的又は代替的な実行形態では、ＰＤＵ５１３は、輸送体１２０の外部に配置されることもある。図５に示しているように、ＰＤＵ５１３は、別のＰＬＣモデムである機上ＢＰＬモデム４１１と、機上ＢＰＬモデム４１１と多用途電力インターフェース１１０（例えばスティンガケーブル）に含まれるＡＣ電力線（例えばスティンガＡＣ線）の１つの位相とを連結するよう構成されているカプラ５１５（例えば誘導性又は容量性のカプラ）とを、含む。機上ＢＰＬモデム４１１は、終点／スレイブとして又はレピータとして機能し、地上ベースのネットワーク１０２（及び、レピータモードでレピータとして機能している時には、図６のＡＣコンセント（ｏｕｔｌｅｔ）６１４）との相互接続性を提供する。図示しているように、輸送体１２０は、航空輸送体１２０内部でのイーサネット通信を提供する、機上ＢＰＬモデム４１１からのイーサネットドロップ５１８を含みうる。
【００６９】
図示しているように、コネクタ１５０は更に、別のＰＬＣモデムである終点手ＢＰＬモデム５１４と、終点ＢＰＬモデム５１４と多用途電力インターフェース１１０（例えばスティンガケーブル）に含まれるＡＣ電力線（例えばスティンガＡＣ線）の１つの位相とを連結するよう構成されているカプラ５１６（例えば誘導性又は容量性のカプラ）とを、含みうる。ある種の実行形態では、機上ＢＰＬモデム４１１は、機外のヘッドエンドＢＰＬモデム４１４、終点又はレピータのＢＰＬモデム５１４、及び輸送体１２０内に存在しうる別の機上ＢＰＬモデム４１１と同時に通信すること、並びに、コネクタ１５０のハウジング２５０と一体化されている外部有線通信インターフェース２９４を介してコネクタ１５０に取り付けられうる断接可能な可搬式デバイス内に、埋設型ＢＰＬモデムを含むことによって、レピータとして機能しうる。輸送体の機上電気的構成に応じて、図４及び図５に示している機上ＢＰＬモデム４１１は必要ではなくなることもあり、機上ＢＰＬモデムの接続性要件のサポートを提供するには、ＢＰＬモデム４１１ではなく、レピータＢＰＬモデム５１４で十分でありうる。終点ＢＰＬモデム５１４は、終点／スレイブデバイス又はレピータとして機能してよく、更に、多用途電力インターフェース１１０に検知データ・試験データ接続性能を提供する。つまり、終点ＢＰＬモデム５１４及び４１４は、ＢＰＬデータ回線が予期される性能範囲内で機能しているかどうかを判定するために、ＢＰＬデータ回線を検知し、試験するセンサとしての役割を果たしうる。かかる検知及び試験の結果は、コネクタ１５０におけるユーザインターフェース（例えば、図２のユーザインターフェース２９０を参照のこと）に、又は、アプリケーションサーバ４２４のユーザインターフェースに遠隔で、表示されうる。一部の実行形態では、システムアーキテクチャ５００における終点モデム５１４の使用により、機上ＢＰＬモデム４１１の必要性がなくなる。
【００７０】
加えて、システムアーキテクチャ５００はヘッドエンドＢＰＬモデム５１１を含む。ヘッドエンドＢＰＬモデム５１１は、機外ＢＰＬモデム４１４が接続されている輸送体１２０内のＡＣ線位相を検出するために使用される一体型カプラを含む、ヘッドエンドＰＬＣモデムである。一実行形態では、ヘッドエンドＢＰＬモデム５１１は、ＰＤＵ５１３におけるＡＣ電力線のＡＣ線位相の状況を検出する、センサとしての役割を果たしうる。
【００７１】
一部の実行形態では、ヘッドエンドＢＰＬモデム５１１又はコネクタ１５０におけるレピータモードの終点ＢＰＬモデム５１４は、図４及び図５に示している機上ＢＰＬモデム４１１の必要性を置換し、モデム４１１（及び、図６に示している後述のモデム６１６）と通信しうる。アーキテクチャ５００を使用することによって、多用途電力インターフェース１１０（例えばスティンガ）が輸送体１２０（例えば航空機）に接続されていようがいまいが、ＢＰＬモデム回線の接続状況及びデータ送信性能のネットワークモニタリングが実施されうる。同様に、航空機に接続されていようがいまいが、ＢＰＬモデムの構成設定のネットワーク管理が行われる。様々な実行形態において、かかるネットワークのモニタリング及び管理が、コネクタ１５０においてローカルで実施されること、カスタムアプリケーションを有するスタンドアロンデバイスによってローカルで実施されること、アプリケーションサーバ４２４においてリモートで実施されること、又は分散型の様態で実施されることが可能であり、モニタリング及び／又は管理のタスクの一部は、（例えば、プロセッサ／ＣＰＵ、メモリ、及びローカルストレージを伴う）コネクタ１５０内に埋設された演算デバイスによって実施され、一部は、アプリケーションサーバ４２４によりホスティングされているアプリケーションによって実施される。
【００７２】
ある種の実行形態では、電子パッケージが一時的にコネクタ１５０に装着されうる（例えば、スティンガコネクタに付加されうる）ように、コネクタ１５０に無線充電インターフェースが付加されうる。無線充電インターフェースの一例は、誘導性又は無線の充電インターフェースである。電子パッケージは更に、無線通信接続及びプロトコル（例えばＮＦＣプロトコル、ブルートゥース接続、有線又は無線で連結されたＢＰＬモデム接続、又はＷｉ−Ｆｉ接続など）を介して、コネクタ１５０に通信可能に連結されうる。例示的な一実行形態は、終点ＢＰＬモデム５１４及びセンサを備える取り外し可能な電子パッケージを含み、この取り外し可能なパッケージは、必要に応じてコネクタ１５０から外すことができる。例えば、取り外し可能なパッケージは、取り外し可能なパッケージのバッテリを充電するため、及びコネクタ１５０とデータを交わすために、コネクタ１５０に（例えば、無線充電インターフェース及び無線通信インターフェース２９２を介して）、電気的かつ通信可能に連結されうる。
【００７３】
図６は、本開示の一又は複数の実行形態による、多用途電力インターフェース１１０と輸送体１２０との接続に使用される例示的なシステム構成要素を示す図である。図６の例では、輸送体１２０は、ＰＤＵ５１３を介してＡＣ電力線から電力を受信する、ＡＣコンセント６１４を含む。図示しているように、輸送体１２０は、輸送体１２０のコネクタ１４０を介してコネクタ１５０に接続され、ＡＣコンセント６１４は、ＡＣコンセントタップ（ｐｏｗｅｒ  ｓｔｒｉｐ）６１５及びカプラ５１６（例えば、輸送体１２０内の誘導性又は容量性のカプラ）を介して、機上ＢＰＬモデム４１１に接続されうる。機上ＢＰＬモデム４１１は、輸送体１２０内部での（例えば航空機内での）イーサネット通信を提供するイーサネットドロップ５１８にも、通信可能に連結される。図６に示しているように、追加的又は代替的な実行形態では、イーサネットドロップ５１８は、ホームＢＰＬモデム６１６を介してＡＣコンセント６１４に接続されうる。ホームＢＰＬモデム６１６は、イーサネットドロップ５１８とＡＣコンセントとを連結するために誘導性カプラを含むことも、使用することもない。ＡＣコンセントは、ＰＤＵ５１３を介してコネクタ１５０に接続される。図６に示している別の代替的な実行形態では、ＡＣコンセント６１４は、ＡＣコンセントタップ６１５を介して、ＡＣコンセントタップ６１５に直接差し込まれたホームＢＰＬモデム６１６と接続されうる。
【００７４】
図５及び図６に示しているシステムアーキテクチャ５００及びシステム構成要素を使用することによって、ある種の実行形態では、輸送体１２０（例えば航空機）のインターフェースにおいて、コネクタ１５０（例えばスマートスティンガコネクタ）からのセンサデータの解析が実施される。システムアーキテクチャ５００におけるセンサ（ＴＤＲ、ＯＴＤＲ、ＦＤＲ、加速度計、湿度センサ、ＭＦＤ検出器、電流計、電圧計、電気抵抗器、インターネットオブシングス（ＩｏＴ）センサ、携帯ＢＰＬモデム５１１、及び終点ＢＰＬモデム５１４を含むが、それらに限定されるわけではない）は、多用途電力インターフェース１１０が輸送体１２０に接続されていても、接続されていなくても、ネットワーク構成要素及び例えばＡＣ電力線（例えばスティンガＡＣ線）といった電気的構成要素の状況をモニタしうる。センサは、他にもある種々の測定値の中でも、コネクタ１５０における定常波の変化を検出しうる。又は、コネクタ１５０は、周波数応答、運動検出（すなわち、コネクタ１５０内に一体化された加速度計からの加速度計の測定値に基づくもの）に関する自己試験、及び、コネクタ１５０においてローカルに検出されたネットワークの及び電気的な問題に関する試験を、実施しうる。
【００７５】
このようにして、図５及び図６に描かれているアーキテクチャ及び構成要素により、ＢＰＬモデム４１１、４１４、５１１、及び５１４だけでなくＢＰＬデータ回線モデム回線に関しても、ＢＰＬモデムの動作をリアルタイムでモニタすること及び管理することが可能になる。アプリケーションサーバ４２４は、センサデータを受信し、それを履歴データとして記憶し、かつ、電力線（例えばスティンガＡＣ線）の健全性履歴の解析を実施しうる。かかる解析の結果は、アプリケーションサーバ４２４のディスプレイデバイスに提示されうるか、又は、輸送体１２０（例えば航空機）のインターフェースにあるコネクタ１５０（例えばスティンガコネクタ）に設置された状況インジケータとして使用されるＬＥＤの遠隔制御により、コネクタ１５０においてローカルに提示されうる。
【００７６】
図５に関連して上述したように、アプリケーションソフトウェアは、アプリケーションサーバ４２４によってホスティングされてよく、かつ、多用途電力インターフェース１１０のデータ回線及び電力回線に関する機能健全性状況（例えばスティンガ健全性）、並びにＢＰＬモデム動作に関する機能健全性状況の、リアルタイム解析を描出するＧＵＩを提供しうる。例えば、機外ＢＰＬモデム４１４によって実施されるネットワークモニタリングは、センサデータとして、地上ベースのネットワーク１０２を介してアプリケーションサーバ４２４（又はスタンドアロンデバイス）にレポートされてよく、次いで、後続の解析及び表示のために、アプリケーションサーバ４２４（又はスタンドアロンデバイス）に保存されうる。センサデータは、アプリケーションサーバ４２４（又はスタンドアロンデバイス）のメモリ又はコンピュータ可読記憶デバイスに、履歴データとして記憶されうる。ネットワークモニタリングを表わす保存されたセンサデータは更に、将来の予測される電気的な問題及びネットワークの問題の防止を支援するために、以前の電気的な問題及びネットワークの問題（例えば、帯域幅の問題又は通信の不具合）につながったトレンドを特定するように、アプリケーションサーバ４２４によって、データ解析（例えば予測解析）を実施するために使用されうる。一部の実行形態では、アプリケーションサーバ４２４は、コネクタ１５０にデータをレポートしうる。例えば、アプリケーションサーバ４２４は、地上ベースのネットワーク１０２を介してコネクタ１５０に、履歴データを送ってよく、次いでコネクタ１５０は、問題の発生可能性が検出された場合にコネクタ１５０においてフィードバックを提供するために、ローカルに記憶される履歴データとこの時点で検出されたデータとを比較しうる。この例では、コネクタ１５０は、周囲温度測定値とアプリケーションサーバ４２４からの履歴データとの比較によりコネクタ１５０が過熱している可能性があることが示されると、ユーザインターフェース２９０のＬＥＤを、欠陥インジケータとして発光させうる。
【００７７】
図２から図６のアーキテクチャ及び構成要素は、コネクタ１５０における直近の状況を提供しうる。例えば、ユーザインターフェース２９０は、電気接続及びデータ接続の健全性を示すよう既定のパターンで発光しうる、多色のＬＥＤ及び／又はストロボ光を含みうる。ある種の実行形態では、緑のＬＥＤは良好で予想通りの電圧測定値を示してよく、緑に点滅するＬＥＤは、良好なネットワーク接続性（例えば、予想範囲内のデータ伝送速度）を示しうる。追加的又は代替的な実行形態では、この直近の状況は、サーバ４２４のユーザインターフェース及び／又は携帯デバイス（機械工又は地上クルーメンバーによって保持されているスマートフォン又はタブレットデバイスなど）のユーザインターフェースおいても、提供されうる。後者の例では、携帯デバイスは、地上ベースのネットワーク１０２を介して、又は無線で（例えば、コネクタ１５０とのブルートゥース接続を介して）アプリケーションサーバ４２４に通信可能に連結されうる。かかるユーザインターフェースは、コネクタ１５０において読み取られた健全性チェックデータに基づいて、予測要素を示しうる。かかる予測要素は、位相ドリフトと電流スパイクのうちの一又は複数を含みうる。コネクタ１５０が輸送体１２０に接続される前にかかる予測要素が検出されれば、ユーザ（例えば、空港の機械工又は地上クルーメンバー）は、問題が輸送飛行体にあるのではなく、コネクタ１５０に分離されていると、容易に判定することが可能になる。
【００７８】
図２から図６のアーキテクチャ及び構成要素のある種の実行形態は、コネクタ１５０の電気的構成要素の不具合につながる可能性がある状態に、フラグを立てることも可能である。例えば、コネクタは、コネクタ１５０の腐食した又は破断したピン（例えば、図２のピン２１０ａ、２１０ｂ、２１０ｃ、２２０、２３０ａ、及び２３０ｂを参照のこと）を示す状態について、検出し、レポートうる。かかる状態は、コネクタ１５０に加わった物理的な外傷又は衝撃にフラグを立てる加速度計、極端な温度変動にフラグを立てる温度計、又は範囲外の電流又は電圧の変動（例えば、高電圧サージ又は電圧の降下／低下）を検出するマルチメータによって、検出されうる。センサは、電気線（例えばＡＣ電力線）におけるノイズも検出しうる。検出されたかかるノイズは、コネクタ１５０の不具合の発生可能性を示すことが可能であり、かつ、問題をコネクタ１５０の側（例えば輸送体１２０の外部）に分離するために使用されうる。このようにして問題を分離することによって、実行形態は、輸送体１２０の欠陥診断を減少させ、ネットワークベースの輸送体１２０（例えばネットワークベースの飛行機）のための無駄な不具合対策時間を削減する。
【００７９】
図２から図６のアーキテクチャ及び構成要素の実行形態の一部により、更に、これらの図に示しているネットワーク構成要素及び電気的構成要素に関する、ビッグデータ解析をサポートするためのデータ収集、健全性の予知、モニタリング、及びレポートが可能になる。例えば、ビッグデータ解析は、図２から図６に示している構成要素に関する保守予測を可能にするために、アプリケーションサーバ４２４によって実施されうる。つまり、ビッグデータ解析は、構成要素の欠陥又は不具合を防止するために構成要素の保守が実施されるべきである場合に、類似の構成要素（例えば、類似した特性及び動作パラメータを有する電気的構成要素及び通信構成要素）に関する履歴データにおけるトレンド解析に基づいて、予測を行うために使用されうる。図５のシステムアーキテクチャ５００は、かかるビッグデータ解析を実施することによって、構成要素の健全性をサポートする。収集されたデータは、サーバ４２４に記憶されてよく、輸送体１２０、コネクタ１５０、多用途電力インターフェース１１０、並びにＢＰＬモデム４１１、４１４、５１１、及び５１４に関する履歴健全性データを含みうる。図４及び図５のアーキテクチャ及び構成要素は、システムが特徴付けられることも可能にする。このことは、地上電力システム１３０のゲート電源のインピーダンス特性を照合確認することだけでなく、輸送体１２０の電気的負荷特性（例えば飛行機の電気的負荷特性）を特徴付けることも、可能にする。かかる特徴付けは、少なくとも部分的に、コネクタ１５０が輸送体１２０と嵌合又は接続される前に実施されうる。
【００８０】
ある種の実行形態では、欠陥を検出又は予測するために、センサ測定値と決まった／所定の閾値（例えば電流、電圧、ＭＦＤ、又はデータ伝送速度の上限／下限）とが比較されうる。追加的又は代替的な実行形態は、コネクタ１５０においてアラートを始動させるために、フィードバックをリアルタイムで提供しうる。例えば、アプリケーションサーバ４２４に戻って処理される情報の集合により、コネクタが閾値超過に向かっていることを示されてよく、ユーザ（例えば地上のクルーメンバー又は保守人員）が通知を受けるように、コネクタ１５０のユーザインターフェース２９０にこの主旨のフィードバックが提供されうる。非限定的な一例では、アプリケーションサーバ４２４は、温度、電圧、及び電流のプロファイルを創出するために、１日の３つのシフト全体にわたって採取された温度、電圧、及び電流の測定値を解析してよく、次いで、第３シフトで勤務する保守クルーメンバーにコネクタ１５０が過熱状態に向かっている（又は過熱状態にある）ことが通知されるように、ユーザインターフェース２９０のＬＥＤを発光させうる。この通知は、温度及び電流のプロファイルの解析に基づくものである。電気伝導体（例えばワイヤとケーブル）の温度が上昇するにつれて電気伝導体の許容電流は減少するので、温度と電流のプロファイルは一緒に解析されうる。同じように、コネクタ１５０において、電圧問題（例えば、閾値から外れる電圧サージ又は電圧低下）の発生可能性が上昇することを判定するために、電圧プロファイルが解析されうる。アプリケーションサーバ４２４は、コネクタ１５０におけるローカル機器がリアルタイムで有することはない追加的なインテリジェンスであるが、解析トレンディングデータに基づいてアプリケーションサーバ４２４により特定されうる、追加的なインテリジェンスを提供しうる。例えば、アプリケーションサーバ４２４は、この追加的インテリジェンスを集めることが可能であり、次いで、コネクタがデータ記憶装置又はデータベースからデータを引き出すことを必要とせずに、ユーザインターフェース２９０に、保守人員にアラートを発するために離散ＬＥＤを発光させるよう命令しうる。追加的又は代替的な実行形態では、アラートは、ＬＥＤの発光よりも洗練されたものでありうる。例えば、表示が、（ユーザインターフェース２９０、アプリケーション４２４のＧＵＩに含まれる）ＧＵＩに表示されうるか、地上クルーメンバー、機械工、若しくは保守人員に送られるｅメール（例えばＳＭＴＰ）、インスタントメッセージ、若しくはショートメッセージサービス（ＳＭＳ）の文字メッセージを介して通信されうるか、又は、かかる人員に保持されるか若しくは関連する携帯デバイスのＧＵＩに示されうる。このようにして、システムアーキテクチャ４００は、アプリケーションサーバ４２４により集められた追加的知識を活用し、それをリアルタイムで表示する。
【００８１】
図７は、一実行形態による、電気システム及びネットワークシステムの構成要素の健全性状況を検出し、予測するために、多用途電力インターフェースにおいて収集されたデータをモニタし、解析するための方法７００の、フロー図を示している。方法７００は、ソフトウェア、ハードウェア、又はそれらの組み合わせを含みうる処理論理を使用しうる。モニタリングは、ＳＮＭＰ、ＴＲ−０６９（インストールされた健全性エージェント）等を介するものでありうる。例えば、方法７００は、図４のシステム４００に関連して上述した一又は複数の構成要素（例えばアプリケーションサーバ４２４及びコネクタ１５０）を含むシステムによって、実施されうる。
【００８２】
図示しているように、方法７００は、７０２において、ＢＰＬデータ回線及び多用途電力インターフェースに関する電力品質データ及び負荷管理データを収集するよう動作可能なセンサからの電力品質データ及び負荷管理データ（の少なくとも一部分）を、測定すること及び／又は受信することを含む。図７に示しているように、多用途電力インターフェースは、ＢＰＬデータ回線を介して輸送体に電気的かつ通信可能に連結されるよう、動作可能である。実行形態によると、多用途電力インターフェースは、図１から図６に示している多用途電力インターフェース１１０として具現化されてよく、輸送体は、図１及び図４から図６に示している輸送体１２０として具現化されうる。
【００８３】
方法７００は、７０４において、電力品質データ及び負荷管理データに基づいて、多用途電力インターフェース及びＢＰＬデータ回線の機能健全性状況を判定することも含む。図７に示しているように、７０４は、７０２において受信したデータと、機能健全性閾値とを比較することを含みうる。図示しているように、７０４は、これらのデータに基づいて将来の状況を予測すること（すなわち、記憶された履歴データにおけるパターンを特定するための解析の使用に基づいて、将来の欠陥又は誤動作の発生可能性を予知すること）も含みうる。
【００８４】
方法７００は、７０６において、データ記憶装置に、機能健全性状況、電力品質データ、及び負荷管理データを送信することを更に含む。図７の例に示しているように、７０６は、データベースに、機能健全性状況、電力品質データ、及び負荷管理データを送ることを含みうる。一部の実行形態では、データ記憶装置又はデータベースは、図１、図２、及び図４から図６に示しているコネクタ１５０、及び図３に示している取り外し可能なアダプタ３５０に対して、ローカルでありうる。追加的又は代替的な実行形態では、データ記憶装置又はデータベースは、コネクタ１５０及び図３の取り外し可能なアダプタ３５０から離れているサーバ（例えばサーバ４２４）によって、ホスティングされうる。一部の実行形態では、データ記憶装置は、多用途電力インターフェース１１０、コネクタ１５０、及び取り外し可能なアダプタ３５０に対してリモートであり、モニタされたデータは、機能健全性状況、電力品質データ、及び負荷管理データと共に、ＢＰＬ通信を使用して、多用途電力インターフェース１１０の一又は複数のＢＰＬデータ回線を経由しＢＰＬモデムを介して、データ記憶装置に送信される。
【００８５】
加えて、方法７００は、７０８において、ユーザインターフェースにおいて機能健全性状況を示すことを含む。図７に示しているように、７０８は、機能健全性状況及び／又は予測される将来の状況を、ディスプレイデバイスに提供することを含みうる。例えば、７０８は、図２及び図３に示しているコネクタ１５０又は取り外し可能なアダプタ３５０においてユーザインターフェース２９０を提示するために使用されるディスプレイデバイス上に、機能健全性状況を示す又は表わすことを含みうる。代替的又は追加的な実行形態では、７０８は、アプリケーションサーバ４２４内のアプリケーション情報からの機能健全性状況を、ＧＵＩに表示することを含みうる。代替的又は追加的な実行形態では、７０８は、ネットワークモニタリングサーバに欠陥をレポートすることを含みうる。ある種の実行形態では、７０８は、記憶されたデータについて実施された解析の結果を示すことも含みうる。例えば、７０８は、７０４の一部として実施されたビッグデータ解析の結果を提示することを含みうる。かかる結果は、記憶された履歴データ及び既知の過去イベント（例えば、構成要素の電気的接続における不具合及び欠陥）のパターンだけでなく、将来の不具合イベント及び欠陥イベント（例えば、コネクタ１５０に発生する、電流若しくは電圧の変動、過熱、湿度、物理的外傷、又は衝撃）につながる可能性がある状態に基づく、予測を含みうる。つまり、７０４において実施される解析の結果が、モニタされている電気システム及びネットワークシステムの構成要素に関する健全性予知として、７０８において提示されうる。
【００８６】
図８は、本開示の一又は複数の実行形態による、収集されたセンサデータ及びＢＰＬデータを用いて予測解析を実施するための方法８００のフロー図を示している。方法８００は、ソフトウェア、ハードウェア、又はそれらの組み合わせを含みうる処理論理を使用しうる。例えば、方法８００は、図４のシステム４００に関連して上述した一又は複数の構成要素（例えばサーバ４２４及びコネクタ１５０）を含むシステムによって、実施されうる。
【００８７】
方法８００は、回帰、分類、協調フィルタリング、ランク付け、及びイベント予測（例えば機器不具合予測）といった機械学習タスクを完遂するために、予測解析及び人工知能を使用する。方法８００の一部の実行形態は、線形時間において実行されて機器の不具合を予測する予測アルゴリズムを提供するために、予測解析技法を活用する。機械学習は、実環境に（例えば空港に）存在しうるデータを予測するために使用されうる。機械学習は、典型的には、真陽性サンプル（例えば、機器の不具合といった過去のイベント）及び偽陰性サンプルを提供すること、並びに、陽性サンプルと陰性サンプルとを区別することを機械（例えばアプリケーションサーバ４２４又はその他の演算デバイス）にティーチングすることに、依拠するものである。陽性の実環境データは、後述する工程８０２〜８０６を完遂することによって取得されうる。例えば、差し迫った不具合を予測するために個々の構成要素の欠陥及び不具合の履歴を使用する機械学習アルゴリズムにおいて、陽性サンプルは、工程８０２及び８０６で測定され、捕捉されるパラメータから取得されうる。
【００８８】
図示しているように、方法８００は、８０２において、電力送信及びデータ伝送に関連する物理的パラメータを表わすデータ（の少なくとも一部分）を測定しかつ／又は受信すること、並びに記憶することを、含む。これらのパラメータは、センサによって測定されてよく、ＢＰＬデータ回線及び多用途電力インターフェースに対応しうる。多用途電力インターフェースは、ＢＰＬデータ回線を介して輸送体に電気的かつ通信可能に連結されるよう、構成されうる。実行形態によると、多用途電力インターフェースは、図１から図６に示している多用途電力インターフェース１１０として具現化されてよく、輸送体は、図１及び図４から図６に示している輸送体１２０として具現化されうる。一部の実行形態では、８０２は、物理的パラメータを表わす、測定されかつ／又は受信されたデータを、データ記憶装置又はデータベースに記憶させることを含む。ある種の実行形態では、データ記憶装置又はデータベースは、図１、図２、及び図４から図６に示しているコネクタ１５０、及び図３に示している取り外し可能なアダプタ３５０に対して、ローカルでありうる。追加的又は代替的な実行形態では、データ記憶装置又はデータベースは、コネクタ１５０及び図３の取り外し可能なアダプタ３５０から離れているサーバ（例えばアプリケーションサーバ４２４）によってホスティングされうる。一部の実行形態では、データ記憶装置は、多用途電力インターフェース１１０、コネクタ１５０、及び取り外し可能なアダプタ３５０に対してリモートであり、測定されかつ／又は受信されたパラメータは、ＢＰＬ通信を使用して、多用途電力インターフェース１１０の一又は複数のＢＰＬデータ回線を経由しＢＰＬモデムを介して、データ記憶装置に送信される。
【００８９】
図８の例に示しているように、８０２において測定され、記憶される電力送信に関連するパラメータは、電圧、電流、単位温度（例えば、電気的構成要素又はネットワーク構成要素の内部温度）、周囲温度（例えば、空港のジェットウェイといった電気的構成要素又はネットワーク構成要素が配置されている場所の大気温度）、及び加速度計測定値のうちの、一又は複数を含みうる。図８に更に示しているように、８０２において測定され、受信され、かつ記憶されるデータ伝送に関連するパラメータは、データ速度、ピング（ｐｉｎｇ）再試行、パケット損失（例えば、ネットワーク構成要素に送られたパケットに対する失われたパケットのパーセンテージ）、待ち時間、及びジッタのうちの、一又は複数を含みうる。
【００９０】
一部の実行形態によると、８０２において測定され、記憶される電力送信に関連するパラメータは電気的領域を形成し、８０２において測定され、記憶されるデータ伝送に関連するパラメータはデータ領域を形成する。かかる実施形態では、電気的領域とデータ伝送領域とは、解析の照合確認として使用されうる。例えば、この２つのデータセット（すなわち電気的領域とデータ伝送領域）は、方法８００におけるビッグデータ解析の使用を増幅させる上で役立ち、ひいては、統計的に重要な情報の総量を増大させて、より広範な有益相関及び予測トレンディング情報の特定を可能にする。
【００９１】
方法８００は、８０４において、多用途電力インターフェースのためのコネクタ（例えばスティンガコネクタ）の識別子を、記録することも含む。実行形態によると、多用途電力インターフェースのためのコネクタは、図１、図２、及び図４から図６に示している多用途電力インターフェース１１０のためのコネクタ１５０として、具現化されうる。追加的又は代替的な実行形態では、このコネクタは、図３に示している取り外し可能なアダプタ３５０及び標準的なコネクタ３５５として、具現化されうる。図８の例では、コネクタの識別子は、多用途電力インターフェースの部品番号（Ｐ／Ｎ）及びシリアルナンバー（Ｓ／Ｎ）を含む。図８に示しているように、８０４は、時間（例えばタイムスタンプ）及びゲートの場所を記録することも含む。図８の例では、ゲートの場所は、空港のゲート識別子（Ｓｅａ−ＴＡＣ空港のゲートＮ−８など）として、又は全地球測位システム（ＧＰＳ）座標（例えば緯度と経度）として、記録されうる。図８に更に示しているように、８０４は、ゲートボックスの部品番号（Ｐ／Ｎ）とシリアルナンバー（Ｓ／Ｎ）、及び輸送体の識別子を、記録することを含みうる。図８の例では、輸送体の識別子は、航空機尾部ＩＤ又は輸送体識別番号（Ｖ／Ｎ）でありうる。
【００９２】
方法８００は、８０６において、多用途電力インターフェースのためのコネクタ（例えばスティンガコネクタ）の変化を検出することも含む。図８に示しているように、変化の記録は、変化が手動で入力されうるか、変化がＲＦＩＤタグ読取装置によって（例えば、コネクタ１５０のＲＦＩＤタグを読み取ることによって）記録されうるか、変化が光学読取装置によって（例えば、コネクタ１５０の光バーコードを読み取ることによって）記録されうるか、又は、変化がインピーダンス特性として記録されうる、という技法のうちの一又は複数を実装することにより、いくつかの方式で促進されうる。図８の例では、かかるインピーダンス特性は、開回路電圧、短絡電流、高調波、及び電気的インピーダンスのその他の特性のうちの、一又は複数を含みうる。一部の実行形態では、かかるインピーダンス特性は、検出される変化（例えば、コネクタにおいて検出される機器の変化、機器の欠陥、又は機器の不具合）につながるパラメータのデータログキャプチャを始動させる。捕捉されるパラメータは、ゲートボックスの種類、周囲温度、外部温度、平均電流、及び利用率のうちの、一又は複数を含みうる。
【００９３】
一部の実行形態によると、８０６は、コネクタ１５０のメモリにおける変化、ネットワーク特性若しくはネットワーク構成要素における変化、空港のゲートボックスにおける変化、ＧＰＳ位置若しくはＧＰＳ座標における変化、又は全地球測位航法衛星システム（ＧＮＳＳ）によって検出された位置の変化を、検出することを含む。追加的又は代替的な実行形態実行形態では、８０６は、例えば加速度計（例えば、コネクタ１５０と一体化された加速度計）、電圧計、電流計、ベクトル解析装置、及びスペクトル解析装置といったセンサで、変化を検出することを含む。ある種の実行形態によると、８０６は、データ通信回線又はデータ通信経路のデータ速度の変化を検出すること、振幅の変化を検出すること、周波数の変化を検出すること、及び位相変化を検出することのうちの、一又は複数を含む。
【００９４】
方法８００は、８０８において、パラメータによってトレンドを特定することを更に含む。図８の例では、パラメータは、電圧、温度、電流、高調波、衝撃、利用度（例えば、電気的構成要素又はネットワーク構成要素の利用パーセンテージ）、輸送体の種類（例えば航空機の種類）、発電機の種類、機器（例えば、電気的構成要素又はネットワーク構成要素の機器識別子）、湿度の測定、降水（ｐｒｅｃｉｐｉｔａｔｉｏｎ）の測定、及び時間（例えばタイムスタンプ）のうちの、一又は複数を示す測定値を含みうる。一部の実行形態では、８０８は、これらのパラメータと、以前に測定され、記憶されたパラメータであって、以前に工程８０２〜８０６を反復実施した結果として取得されたパラメータを含む履歴データとを、比較することを含みうる。追加的又は代替的な実行形態では、トレンドを特定するために８０８において使用されるパラメータは、図８に示しているものに限定されるわけではない。例えば、８０８において使用されるパラメータは、以前に測定されたパラメータであって、工程８０２の先行反復によって取得されたパラメータといった、履歴データを含みうる。
【００９５】
加えて、方法８００は、８１０において、ネットワーク構成要素又は電気的構成要素の不具合に先だって変化が起こったパラメータを特定することを含む。一部の実行形態では、８１０は、データ記憶装置又はデータベースからの履歴パラメータ測定値（例えば、８０２及び８０４の過去の反復において測定され、捕捉された履歴データ）を調査するために、予測解析アルゴリズムを使用することと、ネットワーク構成要素又は電気的構成要素の不具合以前に、どのパラメータが変化したか、及び変化のパターンはどのようなものだったかを、特定することとを、含みうる。例えば、８０６において捕捉されたパラメータが、機器の不具合につながるトレンディング前提条件を特定するために、８１０において使用されうる。このようにして、方法８００は、欠陥発生前のモニタリング閾値を有効にする。一部の実行形態では、データ記憶装置又はデータベースは、図１、図２、及び図４から図６に示しているコネクタ１５０、及び図３に示している取り外し可能なアダプタ３５０に対して、ローカルでありうる。追加的又は代替的な実行形態では、データ記憶装置又はデータベースは、コネクタ１５０及び図３の取り外し可能なアダプタ３５０から離れているサーバ（例えばアプリケーションサーバ４２４）によってホスティングされうる。一部の実行形態では、データ記憶装置は、コネクタ１５０及び取り外し可能なアダプタ３５０に対してリモートであり、測定されたパラメータは、ＢＰＬ通信を使用して、多用途電力インターフェース１１０の一又は複数のＢＰＬデータ回線を経由しＢＰＬモデムを介して、データ記憶装置に送信される。
【００９６】
方法８００は、８１２において、コネクタのメモリ（例えば、コネクタ１５０のローカルメモリ）に、パラメータデータに関する問い合わせを行うことと、差し迫った不具合の利害関係先にアラートを送ることも、含む。ある種の実施形態では、利害関係先は、例えば、航空会社、空港、機器製造元（ｏｒｉｇｉｎａｌ  ｅｑｕｉｐｍｅｎｔ  ｍａｎｕｆａｃｔｕｒｅｒ：ＯＥＭ）、及び発電企業（例えば電力事業者）を含みうる。
【００９７】
工程８０２〜８１２を実行し、繰り返すことによって、第１フィードバックループがデータを収集し、方法８００は、以前のネットワーク及び電気機器の不具合に類似した状態を探す。８０２、８０６、及び８０６からのパラメータを使用して、以前の不具合と相関する、類似の状態（例えばパラメータ）を特定することによって、差し迫った不具合を予測又は予知するために、８０８〜８１２が実行されうる。
【００９８】
方法８００は、８１４において、パラメータ収集の頻度を改変することを更に含む。図８の例では、パラメータ収集の頻度を改変することは、パラメータのサンプルレートを変えることによって実施されうる。例えば、図８に示しているように、８１４は、パラメータ（温度測定値など）が機器の不具合と大いに相関していると判定することに応じて、かかるパラメータのサンプリングレートを高めることを含みうる。つまり、温度変動（例えば温度スパイク、極高低温、又は高温）と機器の不具合との間に高い相関があると判定された場合、８１４は、不具合発生率の予知を改善するために、温度測定値のサンプルレートを高めることを含みうる。同じく図８に示しているように、８１４は、他のパラメータ（湿度情報など）の測定値が、システム性能とも機器の不具合発生率の予知とも、ほとんど又は全く相関を有しないという判定に応じて、かかるパラメータのサンプルレートを低減させること又はゼロにすることを含みうる。
【００９９】
図８に示しているように、８１４において、パラメータ収集の頻度は、予測解析アルゴリズムの適応可能で動的な元（ｅｌｅｍｅｎｔ）として改変される。パラメータ収集のそれぞれの頻度は、手動で改変されうる、チューニング可能な値でありうる。追加的又は代替的な実行形態では、パラメータ収集頻度は、人工知能の使用、機械学習タスク（回帰、分類、協調フィルタリング、ランク付け、及び機器不具合予測などのイベント予測など）の完遂、並びにパラメータとイベントとの相関付けに基づいて、８１４において自動的に調整されうる。更に別の追加的又は代替的な実行形態では、パラメータ収集頻度は、８１４においてハイブリッド方式で調整されうる。つまり、パラメータの収集頻度は、手動改変と自動改変との組み合わせを使用して調整されうる。
【０１００】
８１４においてパラメータ収集頻度が調整された後に、制御は８０２に戻され、これにより、調整済みのパラメータ収集頻度にしたがってパラメータが収集されることになりうる。
【０１０１】
工程８０２〜８１４を繰り返すことによって、第２フィードバックループが、収集され、処理されるデータの種類を改変し、予測解析アルゴリズムを改善しうる。方法８００を使用することによって、様々なネットワーク構成要素及び電気的構成要素に関する平均故障間隔（ＭＴＢＦ）が、コンパイルされうる。ＭＴＢＦは、（例えば、図４のシステム４００の通常稼働時のシステム４００における）あるネットワーク構成要素又は電気的構成要素に固有の故障間隔の、予測される経過時間である。ある種の実行形態では、方法８００によってコンパイルされるＭＴＢＦは、図４のシステム４００又は図５のシステムアーキテクチャ５００のあるネットワーク構成要素又は電気的構成要素の算術平均（平均）故障間隔として計算される。ある種の実行形態によると、方法８００は、補修可能又は交換可能なネットワーク構成要素及び電気的構成要素のＭＴＢＦ値をコンパイルする。方法８００は、それ自体のデータを使用し、このデータを履歴データに追加しうる。場合によっては、解析データの改善のためにより多くのデータを有するように、トレンディングデータが他のシステムにエクスポートされうるか、又は他のシステム内へインポートされうる。方法８００は、地上電力発電機器（例えば地上電力システム１３０）及び飛行機の負荷解析について、インテリジェンスを提供しうる。方法８００は、図４に示しているシステムの様々な電気的構成要素及びネットワーク構成要素（例えば、飛行輸送体１２０、多用途電力インターフェース１１０、及び地上電力システム１３０）に関して、パラメータとイベントとの間の相関関係を探す。
【０１０２】
方法８００によりもたらされる合成データは、例えば航空会社、空港、機器製造元（ＯＥＭ）、及び発電企業（例えば電力事業者）といった、いくつかの利害関係先に送信されうるか、又はルーティングされうる。
【０１０３】
図８に示し、かつ上述したように、方法８００の上述の工程は、反復的に実行されうる。つまり、工程８０２〜８１４は繰り返されてよく、これにより、方法８００は、予測解析が電気的構成要素及びネットワーク構成要素がいつイベントを有しうるか（例えば、いつ欠陥又は不具合を起こしうるか、さもなければ、いつ保守が必要になるか）を予測するためにセンサデータ及びＢＰＬデータを使用する、複数のフェーズを含むことになる。これらのフェーズは、最初にトレンドを探すために予測解析アルゴリズムが反復的に使用される、第１フェーズを含みうる。具体的には、これらのアルゴリズムは、多用途電力インターフェースの健全性（例えばスティンガ健全性）に重点を置いて、トレンドを特定する。第２フェーズにおいて、アルゴリズムは、最適サンプル期間における最も有益なパラメータ（例えば上述した、８０２において測定されるパラメータを参照のこと）に重点を置くよう、改善されうる。第３フェーズにおいて、アルゴリズムは、輸送体の健全性（例えば飛行機の健全性）におけるトレンドに注目する。第４フェーズにおいて、アルゴリズムは、地上電力発電機器の健全性（例えば、地上電力システム１３０又は地上電力ユニットの健全性）におけるトレンドに注目する。
【０１０４】
図９は、本開示の一又は複数の実行形態と併せて使用されうる、演算システム９００の一例を示すブロック図である。ある種の実行形態では、演算システム９００は、図４及び図５のアプリケーションサーバ４２４を実装するために使用されうる。一部の実行形態によると、演算システム９００は、図４に示している地上電力システム１３０の演算デバイス４２２を実装するために使用されうる。ある種の実行形態によると、演算システム９００は、図４に示している輸送体１２０の機上サーバ４２６を実装するためにも使用されうる。図９の例では、演算システム９００は、通信フレームワーク９０２であって、プロセッサユニット９０４と、メモリ９０６と、固定記憶装置９０８と、通信ユニット９１０と、入出力（Ｉ／Ｏ）ユニット９１２と、ディスプレイデバイス９１４との間の通信を提供する、通信フレームワーク９０２を含む。一部の実行形態では、ディスプレイデバイスは、図２及び図３のユーザインターフェース２９０を実装するために使用されうる。例えば、図２に示しているコネクタのハウジング２５０と一体化された、具現化されたタッチスクリーンディスプレイデバイスが、ユーザインターフェース２９０を提示するために使用されうる。同様に、図３に示している取り外し可能なアダプタ３５０と一体化された、具現化されたタッチスクリーンディスプレイデバイスが、ユーザインターフェース２９０を提供するために使用されうる。引き続き図９の例を参照するに、通信フレームワーク９０２は、バスシステムの形態をとりうる。
【０１０５】
プロセッサユニット９０４は、メモリ９０６にローディングされうるソフトウェアのための命令を実行する上で役立つ。プロセッサユニット９０４は、具体的な実行形態に応じて、いくつかのプロセッサ、１つのマルチプロセッサコア、又は他の何らかの種類のプロセッサでありうる。
【０１０６】
メモリ９０６及び固定記憶装置９０８は、記憶デバイス９１６の例である。記憶デバイスは、限定するわけではないが例としては、データ、機能的な形態のプログラムコード、その他の好適な情報のうちの少なくとも１つといった情報を、一時的に、永続的に、或いは一時的と永続的の両方で、記憶することが可能な、任意のハードウェアである。記憶デバイス９１６は、このような実施例では、コンピュータ可読記憶デバイスとも称されうる。かかる例では、メモリ９０６は、例えばランダムアクセスメモリ、又は他の任意の好適な揮発性若しくは不揮発性の記憶デバイスでありうる。固定記憶装置９０８は、具体的な実行形態に応じて様々な形式をとりうる。
【０１０７】
例えば、固定記憶装置９０８は、一又は複数の構成要素又はデバイスを包含しうる。例えば、固定記憶装置９０８は、ハードドライブ、固体状態ハードドライブ、フラッシュメモリ、書換可能型光ディスク、書換可能型磁気テープ、又はこれらの何らかの組み合わせでありうる。固定記憶装置９０８によって使用される媒体も、取り外し可能でありうる。例えば、取外し可能な可能ハードドライブが、固定記憶装置９０８を実装するために使用されうる。記憶デバイス９１６は、命令を記憶している非一過性のコンピュータ可読媒体を備えうる。この命令は、プロセッサユニット９０４によって実行されると、演算システム９００に動作を実施させる。
【０１０８】
通信ユニット９１０は、例示的な実行形態では、データ処理用の他のシステム又はデバイスとの通信を提供する。このような実施例では、通信ユニット９１０はネットワークインタフェースカードとして具現化される。
【０１０９】
入出力ユニット９１２は、演算システム９００に接続されうる他のデバイスとの間のデータの入出力を可能にする。例えば、入出力ユニット９１２は、キーボード、ポインティングデバイス（例えば尖筆）、マウス、タッチスクリーンディスプレイデバイス（例えば、図２及び図３のユーザインターフェース２９０を実装するために使用される、具現化されたタッチスクリーンディスプレイ）、トラックパッド、タッチパッド、又は他の何らかの好適な入力デバイスのうちの少なくとも１つを通じて、ユーザ入力のための接続を提供しうる。更に、入出力ユニット９１２は、プリンタに出力を送りうる。ディスプレイデバイス９１４は、ユーザ（例えば、図２のコネクタ１５０のユーザ、図３の取り外し可能なアダプタ３５０のユーザ、図４及び図５のアプリケーションサーバ４２４のユーザ、図２の演算デバイス４２２のユーザ、又は図４の機上サーバ４２６のユーザなど）に、情報を表示するための機構を提供する。
【０１１０】
オペレーティングシステム、アプリケーション、プログラムのうちの少なくとも１つのための命令が、通信フレームワーク９０２を通じてプロセッサユニット９０４と通信可能な、記憶デバイス９１６内に配置されうる。種々の実行形態のプロセス及び方法は、メモリ（メモリ９０６など）内に配置されうるコンピュータ実装命令を使用して、プロセッサユニット９０４によって実施されうる。例えば、図７及び図８を参照して上述した方法７００及び方法８００の工程は、コンピュータ実装命令を使用して、プロセッサユニット９０４によって実施されうる。
【０１１１】
これらの命令は、プロセッサユニット９０４におけるプロセッサによって読み取られ実行されうるプログラムコード、コンピュータ可用プログラムコード、又はコンピュータ可読プログラムコードと称される。種々の実行形態におけるプログラムコードは、種々の物理的記憶媒体又はコンピュータ可読記憶媒体（メモリ９０６又は固定記憶装置９０８など）で、具現化されうる。
【０１１２】
プログラムコード９１８は、コンピュータ可読媒体９２０に機能的な形態で配置される。コンピュータ可読媒体９２０は、選択的に取り外し可能であり、プロセッサユニット９０４による実行のために演算システム９００にローディングされうるか又は伝送されうる。プログラムコード９１８とコンピュータ可読媒体９２０は、このような実施例では、コンピュータプログラム製品９２２を形成する。この例では、コンピュータ可読媒体９２０はコンピュータ可読記憶媒体９２４である。このような実施例では、コンピュータ可読記憶媒体９２４は、プログラムコード９１８を伝搬させるか又は送信する媒体というよりはむしろ、プログラムコード９１８を記憶するために使用される物理的な又は有形の記憶デバイスである。
【０１１３】
あるいは、プログラムコード９１８は、コンピュータ可読信号媒体を使用して、演算システム９００に送信されうる。コンピュータ可読信号媒体は、例えば、プログラムコード９１８を包含する伝播データ信号でありうる。例えば、コンピュータ可読信号媒体は、電磁信号、光信号、他の任意の好適な種類の信号のうちの少なくとも１つでありうる。これらの信号は、無線通信リンク、光ファイバケーブル、同軸ケーブル、電線、又は他の任意の好適な種類の通信リンク（例えば、図１から図６の多用途電力インターフェース１１０に含まれるＢＰＬデータ回線など）といった通信リンクのうちの、少なくとも１つを介して伝送されうる。
【０１１４】
演算システム９００に関して図示されている種々の構成要素は、種々の実行形態が実装されうる様態に構造的な制限を設けることを意図するものではない。種々の例示的な実行形態は、演算システム９００に関して例示されている構成要素に追加されるか又はそれらに代わる構成要素を含むデータ処理システムにおいて、実装されうる。図９に示しているその他の構成要素は、図示されている実施例とは異なることもある。種々の実行形態は、プログラムコード９１８を実行可能な任意のハードウェアデバイス又はシステムを使用して実装されうる。更に、本開示は以下の条項による実施形態を含む。
【０１１５】
条項１．電力インターフェースにおいてデータを収集し、モニタするためのシステム（４００）であって、複数の電力線ブロードバンド（ＢＰＬ）データ回線を介して輸送体（１２０）に電気的かつ通信可能に連結されるよう構成された、多用途電力インターフェース（１１０）と、複数のＢＰＬデータ回線及び多用途電力インターフェースに関する電力品質データ及び負荷管理データを収集するよう構成された、複数のセンサとを備え、多用途電力インターフェースは、ユーザインターフェース（２９０）と、プロセッサと、命令を記憶しているメモリ（９０６）とを備え、命令は、プロセッサによって実行されると、多用途電力インターフェースに、複数のセンサから電力品質データ及び負荷管理データを受信すること（７０２）と、電力品質データ及び負荷管理データに基づいて、多用途電力インターフェース及び複数のＢＰＬデータ回線の機能健全性状況を判定すること（７０４）と、データ記憶装置に、機能健全性状況、電力品質データ、及び負荷管理データを送信すること（７０６）と、ユーザインターフェース（２９０）において、機能健全性状況を示すこと（７０８）とを含む動作を実施させる、
システム（４００）。
【０１１６】
条項２．複数のセンサは、複数のＢＰＬデータ回線における電気伝導体を特徴付けることによって電力品質データを収集するよう構成された、時間領域リフレクトメータ（ＴＤＲ）と周波数領域リフレクトメータ（ＦＤＲ）のうちの一又は複数を含む、条項１に記載のシステム（４００）。
【０１１７】
条項３．多用途電力インターフェースが、ユーザインターフェース（２９０）、無線通信インターフェース（２９２）、有線通信インターフェース（２９４）、及び多用途電力インターフェースと輸送体（１２０）のコネクタ（１４０）とを複数のＢＰＬデータ回線を介して電気的かつ通信可能に連結するための複数のピン（２１０ａ、２１０ｂ、２１０ｃ、２２０、２３０ａ、２３０ｂ）を含む、取り外し可能なアダプタ（３５０）と、地上電力ユニット（１３０）を介して、輸送体（１２０）に電気的かつ通信可能に連結されるよう構成された、地上電力インターフェース接続部（４５０）とを更に備える、条項１又は２に記載のシステム（４００）。
【０１１８】
条項４．地上電力インターフェース接続部（４５０）が、輸送体（１２０）のエンジンがオフになっている時に輸送体（１２０）に交流（ＡＣ）電力を提供するよう構成されている、条項３に記載のシステム（４００）。
【０１１９】
条項５．電力品質データが、電圧、電流、周波数、電力、無効電力、力率、電圧高調波、電流高調波、全高調波歪み、振幅電圧変調、周波数電圧変調、電流需要振幅、電流需要周波数変調、電圧リップル振幅、電流リップル振幅、電流リップル周波数、電圧リップル周波数、電力遮断、磁場密度（ＭＦＤ）、又は複数のＢＰＬデータ回線のうちの１つのＢＰＬデータ回線の機能健全性状況の判定に使用可能なその他の電力品質パラメータ、のうちの少なくとも１つを含む、条項１から４のいずれか一項に記載のシステム（４００）。
【０１２０】
条項６．負荷管理データが、負荷識別子、電流需要高調波、電流需要振幅、電流周波数変調、リップル電流振幅、リップル電流周波数、負荷インピーダンス情報、負荷力率、ソースインピーダンス、インピーダンス整合最適化、磁場密度（ＭＦＤ）、又は輸送体（１２０）の一又は複数の電気的構成要素の機能健全性状況の判定に使用可能なその他の負荷管理パラメータ、のうちの少なくとも１つを含む、条項１から５のいずれか一項に記載のシステム（４００）。
【０１２１】
条項７．複数のＢＰＬデータ回線のうちの１つのＢＰＬデータ回線の機能健全性状況を判定することが、このＢＰＬデータ回線が予期されるデータ速度範囲内で動作しているかどうかを判定することを含む、条項１から６のいずれか一項に記載のシステム（４００）。
【０１２２】
条項８．データ記憶装置は多用途電力インターフェースに対してローカルであり、機能健全性状況を示すことが、ユーザインターフェース（２９０）において多色発光ダイオード（ＬＥＤ）（２９０ａ〜ｆ）を発光させることを含む、条項１に記載のシステム（４００）。
【０１２３】
条項９．データ記憶装置は多用途電力インターフェースに対してリモートであり、送信することが、ＢＰＬ通信を使用して、複数のＢＰＬデータ回線のうちの少なくとも１つを経由しＢＰＬモデム（４１４）を介して、データ記憶装置に機能健全性状況、電力品質データ、及び負荷管理データを送信することを含む、条項１に記載のシステム（４００）。
【０１２４】
条項１０．多用途電力インターフェースが、複数のＢＰＬデータ回線を介して多用途電力インターフェースと輸送体（１２０）とを電気的かつ通信可能に連結するための、複数のピン（２１０ａ、２１０ｂ、２１０ｃ、２２０、２３０ａ、２３０ｂ）と、輸送体（１２０）との三相交流（ＡＣ）電力インターフェースのための、電気伝導性材料と、一又は複数のギガビット光ファイバデータ回線とを更に備える、条項１から９のいずれか一項に記載のシステム（４００）。
【０１２５】
条項１１．複数のセンサが、一又は複数のギガビット光ファイバデータ回線を特徴付けることによって負荷管理データを収集するよう構成された、少なくとも１つの光時間領域リフレクトメータ（ＯＴＤＲ）を含む、条項１０に記載のシステム（４００）。
【０１２６】
条項１２．多用途電力インターフェースの機能健全性状況を判定することが、一又は複数のギガビット光ファイバデータ回線が予期されるデータ速度範囲内で動作しているかどうかを判定することを含む、条項１０に記載のシステム（４００）。
【０１２７】
条項１３．電力インターフェースにおいてデータを収集し、モニタするための、コンピュータ実装される方法（７００）であって、複数の電力線ブロードバンド（ＢＰＬ）データ回線、及び複数のＢＰＬデータ回線を介して輸送体（１２０）に電気的かつ通信可能に連結されるよう動作可能な多用途電力インターフェースに関する、電力品質データ及び負荷管理データを収集するよう動作可能な複数のセンサから、電力品質データ及び負荷管理データを受信すること（７０２）と、電力品質データ及び負荷管理データに基づいて、多用途電力インターフェース及び複数のＢＰＬデータ回線の機能健全性状況を判定すること（７０４）と、データ記憶装置に、機能健全性状況、電力品質データ、及び負荷管理データを送信すること（７０６）と、ユーザインターフェース（２９０）において、機能健全性状況を示すこと（７０８）とを含む、
方法（７００）。
【０１２８】
条項１４．電力品質データが、電圧、電流、周波数、電力、無効電力、力率、電圧高調波、電流高調波、全高調波歪み、振幅電圧変調、周波数電圧変調、電流需要振幅、電流需要周波数変調、電圧リップル振幅、電流リップル振幅、電流リップル周波数、電圧リップル周波数、電力遮断、磁場密度（ＭＦＤ）、又は複数のＢＰＬデータ回線のうちの１つのＢＰＬデータ回線の機能健全性状況の判定に使用可能なその他の電力品質パラメータ、のうちの少なくとも１つを含む、条項１３に記載の方法（７００）。
【０１２９】
条項１５．負荷管理データが、負荷識別子、電流需要高調波、電流需要振幅、電流周波数変調、リップル電流振幅、リップル電流周波数、負荷インピーダンス情報、負荷力率、ソースインピーダンス、インピーダンス整合最適化、又は輸送体（１２０）の一又は複数の電気的構成要素の機能健全性状況の判定に使用可能なその他の負荷管理パラメータ、のうちの少なくとも１つを含む、条項１３又は１４に記載の方法（７００）。
【０１３０】
条項１６．複数のＢＰＬデータ回線のうちの１つのＢＰＬデータ回線の機能健全性状況を判定することが、このＢＰＬデータ回線が予期されるデータ速度範囲内で動作しているかどうかを判定することを含む、条項１３から１５のいずれか一項に記載の方法（７００）。
【０１３１】
条項１７．データ記憶装置は多用途電力インターフェースに対してローカルであり、機能健全性状況を示すことが、ユーザインターフェース（２９０）において多色発光ダイオード（ＬＥＤ）を発光させることを含む、条項１３に記載の方法（７００）。
【０１３２】
条項１８．データ記憶装置は多用途電力インターフェースに対してリモートであり、送信することが、ＢＰＬ通信を使用して、複数のＢＰＬデータ回線のうちの少なくとも１つを経由しＢＰＬモデム（４１４）を介して、データ記憶装置に機能健全性状況、電力品質データ、及び負荷管理データを送信することを含む、条項１３に記載の方法（７００）。
【０１３３】
条項１９．複数のセンサは、複数のＢＰＬデータ回線における電気伝導体を特徴付けることによって電力品質データを収集するよう構成された、時間領域リフレクトメータ（ＴＤＲ）と周波数領域リフレクトメータ（ＦＤＲ）のうちの一又は複数を含む、条項１３から１８のいずれか一項に記載の方法（７００）。
【０１３４】
条項２０．電力インターフェースからのデータを収集し、モニタするためのシステム（４００）であって、複数の電力線ブロードバンド（ＢＰＬ）データ回線、及び複数のＢＰＬデータ回線を介して輸送体（１２０）に電気的かつ通信可能に連結されるよう構成された多用途電力インターフェースに関する、電力品質データ及び負荷管理データを収集するよう構成された、複数のセンサと、ディスプレイデバイス（９１４）、プロセッサ（９０４）、及び命令を記憶しているメモリ（９０６）を備えるサーバ（４２４）とを備えており、命令は、プロセッサ（９０４）によって実行されると、サーバ（４２４）に、通信回線を介して、複数のセンサから電力品質データ及び負荷管理データを受信すること（７０２）と、電力品質データ及び負荷管理データに基づいて、多用途電力インターフェース及び複数のＢＰＬデータ回線の機能健全性状況を判定すること（７０４）と、機能健全性状況、電力品質データ、及び負荷管理データを、メモリ（９０６）に記憶させること（７０６）と、ディスプレイデバイス（９１４）上のユーザインターフェース（２９０）において、機能健全性状況を提示すること（７０８）とを含む動作を実施させる、
システム（４００）。
【０１３５】
条項２１．複数のセンサは、複数のＢＰＬデータ回線における電気伝導体を特徴付けることによって電力品質データを収集するよう構成された、時間領域リフレクトメータ（ＴＤＲ）と周波数領域リフレクトメータ（ＦＤＲ）のうちの一又は複数を含む、条項２０に記載のシステム（４００）。
【０１３６】
一又は複数の実行形態に関連して本書の教示を例示してきたが、付随する特許請求の主旨及び範囲から逸脱しなければ、実施例に変更及び／又は改変がなされうる。例えば、プロセスを一連の作用又はイベントとして説明しているが、本書の教示はかかる作用又はイベントの順序により限定されるわけではないことが、理解されよう。一部の作用は、本書に記載のものとは異なる順序で、かつ／又は本書に記載のもの以外の作用若しくはイベントと同時に、生じうる。例えば、方法の工程及びフェーズは、「第１の」、「第２の」、「第３の」などと説明されている。本書で使用される場合、これらの語は、互いに対する相対的な順序を表わしているにすぎない（例えば、「第１」は「第２」の前に行われる）。また、本書の教示の一又は複数の態様又は実行形態に従って方法を実装するために、全てのプロセス段階が必要になるわけではないこともある。構造的構成要素及び／若しくは処理段階が追加されうること、又は、既存の構造的構成要素及び／若しくは処理段階が除去若しくは改変されうることが、認識されよう。更に、本書に示された作用のうちの一又は複数は、一又は複数の別の作用及び／又はフェーズにおいて実施されることもある。更に、「含む（ｉｎｃｌｕｄｉｎｇ／ｉｎｃｌｕｄｅｓ）」、「有する（ｈａｖｉｎｇ／ｈａｓ）」、「伴う（ｗｉｔｈ）」という語、又はこれらの後の変化形は、本明細書と特許請求の範囲のいずれかで使用される限りにおいて、「備える（ｃｏｍｐｒｉｓｉｎｇ）」という語と同様の意味で、包括的であることが意図されている。「〜の少なくとも１つ（ａｔ  ｌｅａｓｔ  ｏｎｅ  ｏｆ）」という表現は、列挙されたアイテムのうちの一又は複数が選択されうることを意味するために、使用される。本書で使用される場合、アイテムの列挙（例えば「ＡとＢ」など）に関連する、「一又は複数の（ｏｎｅ  ｏｒ  ｍｏｒｅ  ｏｆ）」という表現は、Ａのみ、Ｂのみ、又はＡ及びＢを意味する。「〜の少なくとも１つ」という表現は、列挙されたアイテムのうちの一又は複数が選択されうることを意味するために、使用される。更に、本書の説明及び特許請求の範囲において、２つの材料に関連して使用される「上に（ｏｎ）」という語（一方が他方の「上に」ある、など）は、材料間に少なくともいくらかの接触があることを意味するのに対し、「上方に（ｏｖｅｒ）」は、複数の材料が近接しているが、一又は複数の更なる介在材料を伴う可能性があることにより、接触は可能だが必須ではないことを意味する。「上に」と「上方に」のいずれも、本書で使用される場合、何らかの方向性を示唆するものではない。「コンフォーマル（ｃｏｎｆｏｒｍａｌ）」という語は、下にある材料の角度がコンフォーマル材料によって保護される、コーティング材を描写するものである。「約（ａｂｏｕｔ）」という語は、例示している実行形態にプロセス又は構造上の不適合が生じない限り、列挙された値に何らかの変更を加えうることを示している。最後に、「例示的な（ｅｘｅｍｐｌａｒｙ）」は、記述が、理想的であることを示唆するよりはむしろ、一例として使用されていることを示すものである。本明細書の検討及び本書の開示の実践により、当業者には、本書の教示の他の実行形態も自明となろう。本明細書及び例は例示にすぎないと見なされることが意図されており、本書の教示の真の範囲及び主旨は、以下の特許請求の範囲によって示される。
【０１３７】
上記で開示した変形例とその他の特徴及び機能、又はそれらの代替例は、他の多くの異なるシステム又は応用に組み込まれうることが、認識されよう。現在予見又は予想されない様々な代替例、改変例、変形例、又はそれらにおける改良物は、後に当業者によりなされうるが、それらもまた、以下の特許請求の範囲により網羅されることが意図されている。
【図１】
2020078230.tif 000003
【図２】
2020078230.tif 000004
【図３】
2020078230.tif 000005
【図４】
2020078230.tif 000006
【図５】
2020078230.tif 000007
【図６】
2020078230.tif 000008
【図７】
2020078230.tif 000009
【図８】
2020078230.tif 000010
【図９】
2020078230.tif 000011
【外国語明細書】
2020078230000001.pdf
2020078230000002.pdf
2020078230000003.pdf
2020078230000004.pdf